(57)【要約】グリップと少なくとも１つの端部を有するハンドルと、前記グリップに隣接して前記ハンドルに回転方向に固定して取り付けられている内側プレートと、前記内側プレートに隣接して前記ハンドルに回転可能に取り付けられる支持プレートと、前記支持プレートに隣接して前記ハンドルに回転可能に取り付けられ、前記支持プレートに対しては回転しないように取り付けられている少なくとも１つのカラーと、前記少なくとも１つのカラーに隣接して前記ハンドルに回転可能に取り付けられ、前記カラーに対しては回転しないように取り付けられているセレクターノブと、前記少なくとも１つのカラーに隣接して前記ハンドルに取り外し可能に取り付けられているウェートプレートと、前記内側プレートと前記ハンドルに対して前記支持プレート、前記カラー及び前記セレクターノブが回転しないように、前記支持プレートを前記内側プレートに選択的に固定するための手段と、を有するダンベルについて説明されている。
2005528960.tif 000002
【特許請求の範囲】
【請求項１】
（ａ）（ｉ）ハンドルと、
（ｉｉ）前記ハンドルに取り付けられ、前記ハンドルに対して実質的に固定されている内側支持部材と、
（ｉｉｉ）前記ハンドル上に回転可能に取り付けられている内側円盤と、
（ｉｖ）それぞれが少なくとも１つのフランジを含み、更に前記内側円盤と相互連結されている複数の噛み合いカラーと、
（ｖ）前記内側円盤を前記内側支持部材に連結するための回転防止装置と、
（ｖｉ）相互連結されている複数の前記カラーと前記内側円盤とに相互連結されているセレクター装置とを備えているダンベルと、
（ｂ）（ｉ）それぞれがタブを有している複数のウェートと、
（ｉｉ）前記ウェートを支持するための複数の位置決め壁と、
（ｉｉｉ）前記回転防止装置を解除するための作動器とを備えている支持基部と、を備えており、前記複数のウェートの所定の組み合わせは、前記少なくとも１つのカラーの少なくとも１つのフランジを前記ウェートのタブと係合させることによって選択されるように構成されている、調整可能なダンベル装置。
【請求項２】
前記回転防止装置は、ばね負荷ピンを備えている、請求項１に記載の調整可能なダンベル。
【請求項３】
前記セレクター装置は、外側セレクターノブを含んでいる、請求項１に記載の調整可能なダンベル。
【請求項４】
前記内側円盤の回転位置を示すための回転インジケーターを更に備えている、請求項１に記載の調整可能なダンベル。
【請求項５】
前記回転インジケーターは、選択された重量を示すために係合するばね負荷ボールと回り止め凹部を含んでいる、請求項４に記載の調整可能なダンベル。
【請求項６】
少なくとも１つのウェートプレートを有しており、所望の重量負荷を提供するために前記ダンベル上に前記少なくとも１つのウェートプレートを選択するための手段と、前記選択するための手段を作動不能にするための手段とを有している可変ウェートダンベルと、
前記ダンベルを受け入れるための基部と、を備えており、
前記選択するための手段は、前記ダンベルが前記基部内に配置されているときにだけ作動可能であり、前記作動不能にするための手段は、前記ダンベルを前記基部から取り外しているときにだけ作動するように構成されている、ダンベルと基部の装置。
【請求項７】
前記基部は、前記ダンベルが前記基部内に受け入れられているときに、前記作動不能にするための手段を作動停止させるために、前記作動不能にするための手段と係合するための手段を含んでいる、請求項６に記載のダンベル装置。
【請求項８】
前記選択するための手段が完全には係合されていないときに、前記ダンベルを前記基部内に選択的に固定するための手段を更に備えている、請求項６に記載のダンベル装置。
【請求項９】
前記選択されたウェートプレートを前記ダンベル上に固定するための手段を更に備えている、請求項６に記載のダンベル装置。
【請求項１０】
グリップと少なくとも１つの端部とを有しているハンドルと、
前記グリップに隣接して前記ハンドルに取り付けられている内側プレートと、
前記ハンドルに回転可能に取り付けられている支持プレートと、
前記ハンドルに回転可能に取り付けられ、前記支持プレートと連結されている少なくとも１つのカラーと、
前記ハンドルに回転可能に取り付けられ、前記カラーと連結されているセレクターノブと、
前記少なくとも１つのカラーに関して前記ハンドルに取り外し可能に取り付けられるウェートプレートと、
前記支持プレート、カラー及びセレクターノブが、前記内側プレートとハンドルに対して回転しないように、前記支持プレートを前記内側プレートに選択的に固定するための手段と、を備えているダンベル。
【請求項１１】
前記内側プレートは、実質的に回転方向に固定して前記ハンドルに取り付けられている、請求項１０に記載のダンベル。
【請求項１２】
前記選択的に固定するための手段は、
凹部を備えている前記内側プレートと、
前記凹部内に配置され、前記支持プレートを前記ハンドルに実質的に回転方向に固定するために前記支持プレートと係合可能なロック装置と、を備えている、請求項１０に記載のダンベル。
【請求項１３】
前記支持プレートは少なくとも１つの孔を画定しており、
前記内側プレート内の前記ロック装置は、前記支持プレートを前記ハンドルに回転方向に固定するために、前記孔に選択的に受け入れられる、請求項１２に記載のダンベル。
【請求項１４】
前記ロック装置は、前記凹部内に配置され、前記支持プレートから係合解除されている第１位置から、前記凹部から少なくとも部分的には伸張して、前記支持プレートと係合する第２位置まで動くポスト部材を備えている、請求項１３に記載のダンベル。
【請求項１５】
前記ロック装置を前記支持プレートから係合解除するための手段を更に備えている、請求項１３に記載のダンベル。
【請求項１６】
前記係合解除するための手段は、
前記ダンベルを受け入れるための基部と、
前記基部上の係合ショルダと、を含んでおり、
前記係合ショルダは、前記ダンベルが前記基部内に受け入れられると、前記ロック装置を前記支持プレートから引っ込ませる、請求項１５に記載のダンベル。
【請求項１７】
前記係合ショルダは、前記凹部内へ少なくとも部分的には挿入できるようになっており、
前記係合ショルダは、前記係合ショルダが前記凹部内に受け入れられると、前記ロック装置を前記支持プレートから引っ込ませる、請求項１６に記載のダンベル。
【請求項１８】
前記係合ショルダは前記ロック装置と直接係合する、請求項１６に記載のダンベル。
【請求項１９】
前記ロック装置は、付勢ピンと前記凹部内に配置されているスライダとを備えており、
前記係合ショルダは、前記スライダと係合して、前記スライダを前記付勢ピンと係合させ、且つ前記支持プレートから係合解除させ、
前記スライダは、前記付勢ピンと係合すると、前記付勢ピンを前記支持プレートから係合解除させ、且つ前記スライダは、前記付勢ピンから係合解除すると、前記付勢ピンを前記支持プレートと係合させる、請求項１６に記載のダンベル。
【請求項２０】
前記ロック装置は、カム表面を形成する下端部を有しており、
前記係合ショルダは、相補的カム表面を形成する上端部を有している、請求項１８に記載のダンベル。
【請求項２１】
前記係合ショルダの前記カム表面は、前記ロック装置の前記カム表面と作動的に係合して、前記ロック装置を、前記凹部内に横方向に動かして前記支持プレートから係合解除させる、請求項２０に記載のダンベル。
【請求項２２】
前記ロック装置を係合解除するための前記手段は、前記ダンベルを受け入れるための基部を備えており、
前記基部は、係合造形を含んでおり、
前記係合造形は、前記ダンベルが前記基部内に受け入れられると、前記ロック装置を、前記支持プレートから係合解除させ、
前記係合ショルダは、前記凹部内に受け入れられ、
更に、突起が前記支持プレート上の少なくとも１つのタブと係合するように整列すると、前記支持プレート上の少なくとも１つのタブと選択的に係合して、前記ダンベルを前記基部内に保持するための前記突起を含んでいる、請求項１５に記載のダンベル。
【請求項２３】
前記基部は、少なくとも部分的には前記内側プレート内に挿入するための係合造形を含んでおり、
前記係合造形は、前記ダンベルが前記基部内に受け入れられると、前記ロック装置を前記支持プレートから係合解除させ、
前記係合ショルダは、前記凹部内に受け入れられる、請求項２２に記載のダンベル。
【請求項２４】
ダンベルに使用するためのウェートプレートにおいて、
中央部分を貫通して形成された開口部を有している本体であって、ウェートプレートに所望の重量値を実現するため一体に接合されている複数のプレート部材を含んでいる本体を備えており、
前記本体は、少なくとも部分的にはプラスチック材料で被覆モールドされている、ウェートプレート。
【請求項２５】
前記プラスチック材料は、熱可塑性材料を含んでいる、請求項２４に記載のウェートプレート。
【請求項２６】
前記熱可塑性材料は、ナイロン、ガラス入りナイロン、ポリプロピレン及びクレイトンから成るグループから選択されている、請求項２５に記載のウェートプレート。
【請求項２７】
前記本体は、周辺寸法が前記本体より小さい少なくとも１つのプレートを更に含んでいる、請求項２４に記載のウェートプレート。
【請求項２８】
前記少なくとも１つのプレートは、周辺寸法が前記本体より小さく、前記本体の対称位置にある共通の側に接合されている複数のプレートを含んでいる、請求項２７に記載のウェートプレート。
【請求項２９】
エッジから開口部へのスロット。
【請求項３０】
前記本体の両側に配置されている前記複数のプレート。
【請求項３１】
グリップ部分と、前記グリップ部分から伸張している少なくとも１つの端部とを有しているハンドルと、
前記ハンドルの前記端部に配置するために、中央部分を貫通して開口部が形成されている本体を有している少なくとも１つのウェートプレートであって、前記本体は、前記ウェートプレートに所望の重量値を実現するため一体に接合された複数のプレート部材を含んでいるウェートプレートと、を備えており、
前記本体は、少なくとも部分的にはプラスチック材料で被覆モールドされている、ダンベル。
【発明の詳細な説明】
【技術分野】
【０００１】
本発明は、概括的には、調節可能なダンベル装置に、厳密には、ユーザーが、回転するカラーを使用してダンベルの重量を調整することができ、適切な重量選択が行われるまでダンベルを基部に固定する調節可能なダンベル装置に関する。
【背景技術】
【０００２】
本出願は、２００２年６月７日出願の米国仮特許出願第６０／３８７，２９８号「調整可能なダンベル装置」、２００２年７月３１日出願の米国仮特許出願第６０／４００，２４４号「調整可能なダンベル装置」、及び２００２年８月１日出願の米国仮特許出願第６０／４００，８９４号「調整可能なダンベル装置」の恩典及び優先権を請求し、上記各出願を参考文献としてここに援用する。２００２年７月３１日出願の米国意匠出願第２９／１６４，８２６号「調整可能なダンベル」、２００２年７月３１日出願の米国意匠出願第２９／１６４，９３１号「調整可能なダンベル支持基部」、及び２００２年８月１日出願の米国意匠出願第２９／１６４，９７２号「調整可能なダンベル」を、それぞれ参考文献としてここに援用する。２００２年４月１８日出願の米国特許出願第１０／１２７，０４９号を参考文献としてここに援用する。
【０００３】
ダンベルは、二頭筋カール、ベンチプレス、ショルダープレス、三頭筋伸張等の様な幅広い様々な運動で耐久トレーニングを行うのに広く使用されている運動装置である。ダンベルを使って行われる運動は多いため、ユーザーは、運動の日課を実行するのに、それぞれ異なる重量を有する様々なダンベルを必要とすることが多い。従来からのダンベルは、ユーザーがダンベルの重量を変更したいと思う度に、重いダンベルを選択するか、又は使用しているダンベルを分解して重量を変更しなければならないので、使用するのに幾らか不便がある。単一の調整可能なダンベルがあれば、ユーザーは、異なる重量のダンベルを数多く必要とすることなく、様々な運動の日課を実行できるようになる。
【０００４】
これらの問題に応えて、ダンベルは、１つのダンベルで重量を変更できるように設計されてきた。ダンベルは、通常は重量負荷を選択できる複雑な構造を有しており、また一般的には、重量設定の間の重量差が比較的大きい。重量差が妥当な場合には、持ち上げる総重量が比較的低いことが多く、更にきついトレーニングをするには、もっと重い第２の調整可能なダンベルのセットを使用する必要がある。
【０００５】
更に、既存の可変重量のダンベルの中には、ウェートがハンドルに緩く取り付けられていることが多く、従ってウェート同士が互いに強くぶつかり合い、騒音を発生させ、ウェート自体を引っ掻くために、騒々しいものもある。
【０００６】
必要なのは、使い易く、ウェートをバーにしっかり保持し、単一のバーで更に多くの重量オプションを可能とする調整可能なウェートダンベルである。
【発明の開示】
【課題を解決するための手段】
【０００７】
ここに記載する発明は、これらの問題に取り組んでいる。本発明のダンベルは、可変重量能力を有しており、使用中にウェートをハンドルに対して回転しないように保持して、不用意な係合解除を回避する役を果たすロック機構を備えている。本発明は、更に、ダンベルを支持面上又は特別に設計された基部構造体内に降ろすとロック機構を解除する自動解除機構を含んでいる。本発明は、更に、正確な重量のプレートと、望ましくない騒音とウェート表面の損傷を避けるための被覆ウェートプレートとを提供する独自の層状ウェートプレート構造を含んでいる。更に、本発明は、インジケーターストリップが中に組み付けられているウェートセレクターノブを含んでいる。
【０００８】
或る実施形態では、ここに記載する発明は、グリップと少なくとも１つの端部を備えているハンドルと、前記グリップに隣接して前記ハンドルに回転方向に固定して取り付けられている内側プレートと、前記内側プレートに隣接して前記ハンドルに回転可能に取り付けられる支持プレートと、前記支持プレートに隣接して前記ハンドルに回転可能に取り付けられ、前記支持プレートに対しては回転しないように取り付けられている少なくとも１つのカラーと、前記少なくとも１つのカラーに隣接して前記ハンドルに回転可能に取り付けられ、前記カラーに対しては回転しないように取り付けられているセレクターノブと、前記少なくとも１つのカラーに隣接して前記ハンドルに取り外し可能に取り付けられているウェートプレートと、前記内側プレートと前記ハンドルに対して前記支持プレート、前記カラー及び前記セレクターノブが回転しないように、前記支持プレートを前記内側プレートに選択的に固定するための手段と、を有するダンベルを含んでいる。
【０００９】
更に、前記選択的に固定するための手段は、前記内側プレート内に形成されている凹部を含んでおり、ロック装置が、前記凹部内に、前記支持プレートと係合可能に配置され、前記支持プレートと係合して前記支持プレートを前記ハンドルに回転しないように取り付けることができるようになっている。
【００１０】
更に、前記支持プレートは、少なくとも１つの孔を画定することができ、前記内側プレート内の前記ロック装置は、前記孔の中に選択的に入って、前記支持プレートを前記ハンドルに回転しないように取り付けることができるようになっている。
【００１１】
前記ロック装置は、前記凹部内に位置し、前記支持プレートから係合解除されている第１位置から、前記凹部から少なくとも部分的には伸張して、前記支持プレートと係合している第２位置まで移動するポスト部材でもよい。
【００１２】
前記ロック装置を係合解除するための手段は、ダンベルを受け入れるための基部と、前記内側プレートの前記凹部内への少なくとも部分的挿入のための前記基部上の係合ショルダとを含んでおり、前記係合ショルダは、前記ダンベルが前記基部内に入り、前記係合ショルダが前記凹部内に入ると、前記ロック装置を前記支持プレートから引っ込ませる。
【００１３】
更に、本発明は、例えばリベットによって一体に接合された何枚かの金属のシートで作られ、経済的に使用、製造可能なウェートプレートとなっているプレートを備えたダンベルを含んでいる。基本的に、ダンベルに使用するウェートプレートは、中央部を貫通して形成された開口部を有する本体を含んでおり、前記本体は、ウェートプレートを所望の重量値とするために一体に接合された複数のプレート部材を含んでおり、前記本体は、少なくとも部分的には、プラスチックの、厳密には熱可塑性特性を有する材料で被覆モールド成形されている。ウェートプレートは、前記本体よりも周辺寸法が小さい少なくとも１つのプレートを含む本体を有していてもよく、前記少なくとも１つのプレートは、前記本体よりも周辺寸法が小さく、前記本体の同じ側に、対称的又は非対称的な位置に接合されている複数のプレートである。
【００１４】
本発明の様々な実施形態のこの他の特徴、実用性及び利点は、本発明の実施形態に関する以下の更に具体的な説明から、添付図面に示され、特許請求の範囲に定義されているように、明らになるであろう。
【発明を実施するための最良の形態】
【００１５】
以下、本発明の好適な実施形態を、添付図面を参照しながら詳細に説明してゆくが、同様の番号は、同様の要素を示している。
本発明の調整可能なダンベル装置は、ユーザーがダンベルの重量を容易に選択できる調整可能なダンベル装置１０を提供する。本発明の調整可能なダンベル装置を使えば、ユーザーは、調整可能なダンベルを支持基部１２に置き、１つ又は複数のセレクターノブ１４を回して所望のウェート１６の組み合わせを係合させ、調整可能なダンベルを支持基部から持ち上げて所望の運動を実行することができるようになる。調整可能なダンベルには所望のウェートの組み合わせが装着され、不必要なウェートは支持基部に残る。ユーザーが異なるダンベル重量を望む場合、ユーザーは、調整可能なダンベルを支持基部に戻し、セレクターノブを回して所望のウェートを係合させ、所望のウェートを備えた調整可能なダンベルを支持基部から持ち上げる。運動型で使用する間、即ち、調整可能なダンベルが支持基部に無いときは、調整可能なダンベルは、セレクターノブを回してウェートを追加又は取り外すことが難しいか、又はできないように構成されている。
【００１６】
調整可能なダンベル装置は、図１に示すような調整可能なダンベル１０と、図２に示すような支持基部１２を含んでいる。図１及び図７に示すように、調整可能なダンベル１０は、ハンドル１８と、一対の内側支持部材２０と、一対の内側円盤２２と、複数のカラー２４で分離されている複数のウェート１６と、一対の外側セレクターノブ１４とを含んでいる。調整可能なダンベル１０は、特に記載されている場合を除いて、略同じ２つの端部領域を含んでいる。従って、調整可能なダンベル又は基部の一方の側の１つ又は複数の部分について言及する場合、一致しているか又は同様の部分が、調整可能なダンベル又は基部の他方の側又は端部領域に配置されていると理解頂きたい。内側支持部材は、ハンドルの中央のグリップ部２６に隣接してハンドルに取り付けられている。後に詳細に説明するが、内側支持部材は、ハンドルに対して回転しない。内側円盤は、内側支持部材２０の直ぐ遠位側即ち外側で、ハンドルに取り付けられている。複数のカラーは、ハンドル上に配置され、内側円盤からハンドル１８に沿って遠位方向に伸張している。カラーは、カラーと内側円盤がハンドル周りに一体で回転するように、互いに（即ち隣接するカラーと）、そして内側円盤２２と噛み合わされている。外側セレクターノブ１４は、ハンドル上に、隣接しているカラー２４の最も外側の外側端部に配置されている。外側セレクターノブは、隣接するカラーと噛み合わされているので、外側セレクターノブを回転させると、外側セレクターノブが、カラーと内側円盤をハンドル周りに回転させる。複数のウェート１６は、後に詳細に説明するが、隣接するカラーの間に間隔を空けて配置され、外側セレクターノブ１４の向き次第で、カラーで選択的に係合される。
【００１７】
図２、２４、２５、２６他に示す支持基部１２は、使用していないときにダンベル１０を受け入れ、ユーザーがダンベルの重量を調節できるようにするのみならず、ダンベルに取り付けられていないウェートを保持するようになっている。ダンベル１０を使用する前に、ユーザーは、先ず持ち上げる重量を決め、ダンベルを支持基部１２内に置いて、ダンベル１０の各端部にある各セレクターノブ１４を調節する。セレクターノブは、一対の又は何対かのウェートプレート１６がハンドル１８に保持されるようにする。ユーザーは、次に、ダンベルを基部から持ち上げる。調整可能なダンベルに保持されないウェートは、基部に残る。図２及び図２５に示すように、支持基部は、底壁２８と、複数の位置決め壁３０と、一対のプランジャ３２を含んでいる。底壁は、調整可能なダンベルとウェートを支持する。位置決め壁３０は、調整可能なダンベルが支持基部に挿入されるとき、確実に正しく整列するようにする。更に、位置決め壁は、調整可能なダンベルを支持基部に容易に出し入れできるように、調整可能なダンベル装置に対してウェートを直立に、正しい位置に保持する。位置決め壁３０は、ダンベル１０が支持基部１２に載っているとき隣接するウェート１６の間に嵌り、ダンベルを支持基部から外すときにダンベルに取り付けられていないウェートを直立に保持するように、間隔を空けて配置されている。プランジャは、支持基部から上向きに伸張している。各プランジャは、ダンベルが支持基部に置かれているときに、調整可能なダンベルの内側支持部材２０に形成されている空洞内に伸張するように配置されている。プランジャ３２は、後に詳しく説明するが、調整可能なダンベルが支持基部内にあるときには、ロック装置を解除して、違うウェートを選択できるようにする。
【００１８】
図３及び図４に示すように、ダンベルの内側支持部材２０は、内側円盤２２、カラー２４及び外側セレクターノブ１４がハンドルに対して回転しないようにするばね負荷ピン３４のロック機構を含んでいる。ダンベル１０が支持基部１２に載せられているとき、プランジャ３２は、ばね負荷ピンロック機構を引っ込ませて、外側セレクターノブを回転できるようにし、結果的にカラーと内側円盤を回転させて、調整可能なダンベルの重量を調整できるようにする。この様に、ダンベル１０が支持基部１２に載っているときには、調整可能なダンベルの重量は、一対の外側セレクターノブ１４を回して、（ノブと同じハンドルの各端部の）複数のウェート１６を複数のカラー２４と選択的に係合又は係合解除させることによって調整することができる。
【００１９】
更に、殆どの場合、調整可能なダンベルは、ウェート１６が完全に係合されないか、カラーによって係合解除されなければ、支持基部から外せない。後で図５及び図２３に関連付けて詳細に説明するが、ダンベルは、ウェートが完全には係合されていないか又はカラーによって係合解除されているときにプランジャ３２の突起と係合する複数の歯３６を、内側円盤２２の内側表面に有している。歯は、円盤の回転軸に概ね平行に、その外側リムから伸張している。歯は、カラーが完全に係合されているときには突起が通過でき、カラーが完全には係合されていないときには突起の動きを阻むほどに間隔を空けて配置されている。また、ばね負荷ピン３４とボール戻り止め４４を入れるための穴４０、４２が、隣接する歯と歯の間の空間と一列に配置されている。しかしながら、穴４０、４２は、上記ばね負荷ピンと協働するのであれば、円盤２２のどこであってもよい。ウェート１６がカラーによって完全には係合されていないときは、歯３６は、プランジャ３２の突起３８と係合し、プランジャが内側支持部材２０の空洞から出るのを防ぎ、それによってダンベル１０が支持基部１１から取り外せないようにする。カラー、内側円盤及びノブが、ダンベル上に回転方向に正しく整列していれば、ダンベルを支持基部から取り外すことができ、ばね負荷ピンのロック機構は、内側円盤と再係合し、内側円盤、カラー２４及び外側セレクターノブ１４が、ハンドル１８と内側支持部材に対して回転しないようにする。従って、基部の外では、ウェート１６は所定の位置にロックされており、外側セレクターノブを回転させて、異なる組み合わせのウェートを選択することはできない。
【００２０】
従って、ダンベル１０が基部１２にセットされると、プランジャ３２は、ばね負荷ピン３４と係合して、ピンを内側円盤２２から係合解除する。すると、セレクターノブ１４を回して、カラー２４を回転し、所望の重量を選択できるようになる。ボール戻り止め４４は、ユーザーが、安全な回転位置に居り、ウェートプレート１６を選択するための位置の間にいるのではないことをユーザーに知らせる役をする。ノブも、所望の重量が選択されていることを表示するマーカーを有している。これについては、後に詳細に説明する。重量選択位置の間では、内側円盤２２の歯３６は、プランジャの突起３８と係合し、内側円盤とダンベルを基部内に維持する。ノブが正しく割り出されていれば、突起は、歯と歯の間を通過し、ダンベルを基部から取り外すことができる。ダンベルが基部から取り外されるとき、プランジャはばね負荷ピン３４を係合解除し、ピンを内側円盤２２の整合穴内へ付勢して、内側円盤が支持プレート２０とダンベル１０に対して回転しないようにすることができる。カラー２４とセレクターノブ１４は、共に内側円盤２２に回転方向に係止されているので、共に、回転できないようになる。従って、ダンベルが基部１２から取り外されると、セレクターノブを回転させて重量の選択を変え、ダンベルのウェートプレート１６を取り除くことはできない。
【００２１】
図６に示すように、調整可能なダンベル１０のハンドル１８は、中央のグリップ部分２６と、グリップ部分の各側に１つの一対の端部分４６を含んでいる。ハンドルのグリップ部分は、機械加工されており、ユーザーが調整可能なダンベルをしっかりと握ることができる快適で人間工学的な滑らない表面となっているのが望ましい。グリップ部分は、更に、端部分に隣接して一対のフランジ４８を含んでいる。フランジは、端部分の外側周辺５０の先に伸張し、内側支持部材２０に支持面５２を提供している。端部分４６は、更に、端部分の外側周辺の先に伸張しているキー５４を含んでいる。キーは、ハンドルの長手方向の中心線から半径方向に伸張し、支持プレートがハンドル１８上で回転しないようにするため、長さに沿って伸張し、支持プレート２０のキー溝に嵌る。ここでは、内側及び近位という用語は、ハンドルの中央のグリップ部分２６に向かう方向を指し、外側及び遠位という用語は、ハンドルの端部分４６の先端５６に向かう方向を指す。
【００２２】
ハンドルは、中央のグリップ部分の中心に関し概ね対称である。中央グリップ部分は、僅かに膨らんでおり、握るのに快適な人間工学的な表面を提供している。この様に、ハンドルは、グリップ部分２６の中心から遠位方向に伸張するにつれ、概ね半径が減少している。ハンドルの半径はフランジ４８で増加し始め、ハンドルの半径が階段状に減少する支持面５２まで増加する。半径が階段状に減少するのは、キー５４を形成する１つの区画を除いて、ハンドルの周囲に伸張している。キーの遠位側では、ハンドルは、ハンドルの先端５６まで概ね一定の半径を有している。キーの遠位側の領域は、内側円盤２２と、カラー２４と、外側セレクターノブ１４の協働孔と係合し、これらの要素が端部分上を滑動できるようになっているので。
【００２３】
図３に示すように、内側支持部材２０は、ハンドル１８の端部分を通すための、内側開口部５８のような概ね中心に形成されている孔を画定している。各支持プレートは、中心のグリップ部分２６のフランジ４８に隣接するハンドルの一方の端部４６上に着座している。内側支持部材の孔は、更に、ハンドルの端部分からキー５４を受け入れ、内側支持部材がハンドルに対して回転しないようにするキー溝６０を含んでいる。代わりに、ハンドルが、内側支持部材に形成されているキーを受け入れるキー溝を有していてもよい。内側支持部材２０には、更に、その外側表面に周辺チャネル６２が設けられている。内側支持部材をハンドルに固定できるのであれば、当該技術で既知のどの様な手段を用いてもよい。例えば、図１９に示すピン６６を用いて、内側支持部材をハンドルに固定してもよい。内側支持プレート２０のハウジングは、ナイロンガラス強化材で作るのが望ましいが、金属等の他の適切な材料で作ってもよい。
【００２４】
先に論じたように、内側支持部材は、ばね負荷ボール又はボール戻り止め４４と、ばね負荷ピン３４を含んでおり、それらは、内側支持部材内から内側支持部材の外側表面６４を超えて伸張するよう付勢されている。図４は内側支持部材２０の断面図であり、ばね負荷ボール４４とばね負荷ピン３４が、概ね外側の位置へ付勢され、それぞれ内側支持部材の外側表面６４内の穴６８と７０を部分的に通過して伸張している様子を示している。内側支持部材は、更に、空洞７２とカバープレート７４を含んでいる。ばね負荷ピンは、内側支持部材の空洞内に収容され、概ね空洞から穴７０を通って伸張するよう付勢されている。カバープレートは、内側支持部材の内側表面７８に離して取り付けられており、空洞内のばね負荷ピン３４へのアクセスを提供し、更に、ばねに、ばね負荷ピンに係合してばね負荷ピンを外側表面から外向きに付勢する表面を提供している。
【００２５】
更に図４に示すように、ばね負荷ピン３４は、カバープレート７４と内側支持部材２０の外側表面６４との間の空洞７２内に収容されている。ばね負荷ピンのばねは、カバープレートに当たって着座している。ピン８０（図２０Ａ−２０Ｅに別に示す）は、ばねコイル８４の中に伸張するノブ８２を含んでいる。ばねは、反対に働く力が無ければ、ピンが穴７０を通って伸張し内側円盤２２の孔４０の１つと係合するように、ピン８０を概ね外側表面の穴７０に向かって付勢する。
【００２６】
更に図４に示すように、ばね負荷ボール４４は、空洞７２の直ぐ上の、内側支持部材２０の別の空洞８６内に収容されている。ばね負荷ボールのばね８８は、空洞８６の内側表面に当たって着座している。ボール８９は、ばねの他方の端部と係合し、概ね穴に向かって付勢されている。こうして、ボール４４は、内側円盤２２の回り止め凹部４２の１つに係合するようになっている。ボールは、内側円盤によって保持されている。組み立ての間、即ち、内側円盤がボールを所定の位置に保持する前は、ボールは、ボール戻り止めを潤滑するのに用いられるグリースによって保持されている。
【００２７】
先に述べたように、図５は、内側円盤２２の内側表面９０の等角図である。内側円盤は、歯３６と、孔４０と、回り止め凹部４２と、ハンドル１８を通すための、ほぼ中央に配置されている内側開口部９２とを有している。歯と孔と回り止め凹部は、内側円盤上に同心に配置されている。歯は、内側円盤３０の外周９４の回りに配置され、内側円盤の外周エッジから内向きに略９０°に伸張している。回り止め凹部は、孔から半径方向内向きに間隔を空けて配置されている。孔と回り止め凹部は、セレクターノブ１４が、所望の重量を選択するため適切な方向に向けられると、互いに角度的に整列し、歯からは角度的にずれる。これにより、突起３８が歯３２の間を通過できるようになるので、ダンベル１０を基部１２から取り外せるようになる。組み立て状態では、内側円盤２２の歯は、内側支持部材２０の周辺チャネル６２内へ伸張している（図２３）。先に説明したように、内側円盤は、カラー２４及び外側セレクターノブ１４と互いに噛み合っている。ダンベルを基部に載せ、外側セレクターノブを回転させてダンベルの重量を選択する際には、内側円盤は、ハンドルに固定されている内側支持部材２０に対してハンドル１８周りに回転する。ばね負荷ボール４４は、回り止め凹部４２と係合して内側円盤２２の回転位置を示し、ユーザーが、何時外側セレクターノブ１４が１回の完全な設定分回されたかを明確に識別できるようにしているが、これに付いては後で詳しく説明する。基部から取り外すと、内側支持部材のばね負荷ピン３４は、対応する孔４０と係合して、内側支持部材２０を内側円盤２２にロックするので、外側セレクターノブ１４と、カラー２４と内側円盤は、内側支持部材とハンドル１８に対して回転できないようになる。
【００２８】
図７は、ウェート１６が取り付けられていない状態のハンドル１８の長手方向中心線に沿う調整可能なダンベル１０の断面図である。図７に示すように、複数のカラー２４と外側セレクターノブ１４が、ハンドルの両端部分４６に取り付けられており、内側支持部材２０と内側円盤２２から遠位方向に配置されている。内側円盤、各カラー及び外側セレクターノブは、ハンドルの端部分と噛み合わされ、回転可能に取り付けられている。従って、外側セレクターノブ１４を回転させると、各カラー２４と内側円盤２２は、ハンドル１８の端部分４６周りに一体で回転する。しかしながら、先に述べたように、内側支持部材は、ハンドルに対して静止した状態に止まり、内側円盤の歯３６は、内側支持部材の周辺チャネル６２内を回転する。
【００２９】
図８は、カラー２４の１つの内側表面の等角図である。カラーは、１つ又は複数の周辺フランジ９６、内側開口部９８、伸張スリーブ１００及び複数の挿入タブ１０２を有している。後で詳しく説明するが、１つ又は複数の周辺フランジは、ウェート１６と係合してこれを支持基部１２から持ち上げるか、又は、カラーの方位次第で、ウェートプレートと係合せず、それを支持基部内に留め置く。内側開口部と伸張スリーブは、ハンドル１８の端部分４６を受け入れ、カラー２４がハンドルに対して回転できるようにする。伸張スリーブは、カラーの内側表面１０４から伸張し、個々のカラーの間を離して、隣接するカラーの間にウェート１６を収容する空間を形成する。伸張スリーブ１００は、先端面１０６を画定する。挿入タブ１０２は、後で詳しく説明するが、隣接するカラー又は内側円盤２２の外側表面と係合するため、伸張スリーブの先端面、望ましくは先端面の外側周辺から軸方向内向きに伸張している。
【００３０】
図９は、所定のカラー２４の外側表面の等角図である。図９に示すように、カラーの外側表面１０８は、隣接するカラーの挿入部１０２を受け入れる複数のへこみを有している。挿入部とへこみ１１０は、カラーが１つの向きだけに相互接続されるように係止される。図８と図９に示す実施形態では、例えば、挿入部１０２ａと対応するへこみ１１０ａは、挿入部１０２ｂ及び１０２ｃとへこみ１１０ｂ及び１１０ｃより大きくなっており、カラーを特定の向きだけにしか接続できないようになっている。或る特定の実施形態では、例えば、カラーを、互いに対して或る特定の向きだけに組み立てるのみならず、ダンベルのハンドル１８に沿って或る特定の順序でしかカラーを組み立てられないように、個々のカラーが係止される。
【００３１】
図１０は、調整可能なダンベル１０のウェート１６の前面図を示している。全体として、ウェートは概ね円形である。ウェートは、更に、カラー２４の伸張スリーブ１００を受け入れるためのチャネル１１２を形成している。チャネルは、一定の半径Ｒを有する半円弧１１４のチャネルの内側端部で終結している。チャネルは、また、半円弧の直径Ｄに等しい一定の幅Ｗを有している。チャネルは、カラーの伸張スリーブが、チャネル内で回転できるようにし、摩擦で付随的にしかウェートを動かせないようにしている。チャネル１１２は、その外側端部が、安定バー１１８（ブリッジとも呼ぶ）を受け入れる（図７及び図２２に示す）ために、ウェート１６の周辺１１６に向かって拡がっている。安定バーは、ウェートのチャネルの上部を横切って伸張し、ウェートを固定して、重量を選択する間にウェートがカラーと共に回転することのないようにしている。図１及び図７に示すように、ウェート１６は、バーがカラーの回転を邪魔しないように、カラーの高さより上方に伸張している。バーは、一端が内側支持部材２０及び／又はハンドル１８に取り付けられているので、バーが内側円盤２２又はカラーと共に回転することはない。バー１１８の他端は、外側セレクターノブ１４の外周溝１２０内へ伸張している（図７に示す）。外側セレクターノブ１４が回転する際には、バー１１８は、回転することなく外周溝１２０内に留まる。
【００３２】
更に図１０に示すように、係合タブ１２２が、ウェート１６の外側表面から伸張して、カラー２４の内の１つの、特定の周辺フランジ９６と係合する。特定の周辺フランジは、ダンベル１０によって持ち上げられる所望のウェートによって決められる。図１１は、図１０に示しているウェートの、Ａ−Ａ線に沿う断面図である。図１１に示すように、タブは、カラーの周辺フランジと係合するようにウェートの前面１２４から伸張している。
【００３３】
カラー２４の周辺フランジ９６は、ウェート１６のタブ１２２に対して時計の関係にあり、即ち、周辺フランジとタブの間には既知の定められた回転関係がある。外側セレクターノブ１４を所定の向きにすると、ゼロ、１つ、又は複数の特定の周辺フランジをウェートのタブに係合させ、ユーザーが所定量の重量を選択できるようになる。
【００３４】
ダンベル１０で利用できる増分重量選択の数は、周辺フランジ９６の最小幅を変えるか、又は周辺フランジに利用できる円周を変えることによって、変えることができる。例えば、周辺フランジの最小幅が減少すると、一定の円周の回りに配置できる周辺フランジの数が増加するので、増分重量を選択できる数が増える。代わりに、周辺フランジ９６のカラー２４の中心からの半径を大きくすることによって、フランジを配置するのに利用できる円周が長くなり、カラーの円周の回りに配置できる一定幅の周辺フランジの数が増加するので、増分重量を選択できる可能性のある数が増える。周辺フランジは、周辺フランジ９６を配置するのに利用できる円周が最大になるように、カラー２４の周辺に沿って配置するのが望ましいが、フランジは、カラーの周辺に配置してもよいし、カラーの周辺からカラーの中心に向かってどの様な距離に配置してもよい。この実施形態では、例えば、カラーは、外径が８４ｍｍであり、カラーの中心から周辺フランジまでの半径が３２．５ｍｍである。
【００３５】
図１０と図１１に示しているウェートプレート１６に戻るが、或る実施形態では、例えば、タブ１２２は、約１３ｍｍの幅１２４と、約９．５ｍｍの高さ１２６を有している。このウェートプレートを使えば、カラー２４の周辺フランジ９６の間の最小の間隔は、その重量が選択されない場合にタブ３８がその間隔を通過して滑動できるようにするため、少なくとも１４ｍｍになる。
【００３６】
図１２は、ハンドル１８の端部分４６の内側円盤２２に隣接して配置されている第１選択カラー２４ａの前面図である。図１２に示すように、第１選択カラーは、第１選択カラーの周辺部分の回りに伸張している１つのフランジ９６ａを含んでいる。カラー２４が、外径８４ｍｍと、中心から周辺フランジ９６までの半径３２．５ｍｍを有する先に述べた特定の実施形態では、例えば、周辺フランジは、約１９２°の角度αで第１選択カラー２４ａの周辺の回りに伸張している。第１選択カラーの伸張スリーブ１００は、調整可能なダンベル１０の第１ウェート１６ａのチャネル１１２内に着座している（図１参照）。外側セレクターノブ１４を回転させると、周辺フランジ９６ａは、ハンドル１８の端部分４６周りに回転する。ユーザーが第１ウェート１６ａを選択すると、周辺フランジは、第１ウェートのタブ１２２の下に配置される。従って、調整可能なダンベルを支持基部から持ち上げると、第１選択カラー２４ａの周辺フランジ９６ａは、第１ウェート１６ａのタブ１２２と係合し、第１ウェートを支持基部から持ち上げる。しかしながら、第１ウェート１６ａが選択されていない場合、第１選択カラー２４ａの周辺フランジ９６ａは、第１ウェートのタブ１２２の下にはない。調整可能なダンベル１０を支持基部１２から持ち上げると、第１ウェートは、支持基部内に残り、支持基部の位置決め壁３０によって支持される。
【００３７】
図１３は、ハンドル１８の端部分４６上の、第１選択カラー２４ａの直ぐ遠位側に配置されている第２選択カラー２４６の前面図である。図１３に示すように、第２選択カラーは、第２選択カラーの周辺の一部の回りに伸張している１つのフランジ９６ｂを含んでいる。カラー２４が、外径８４ｍｍと、中心から周辺フランジ９６までの半径３２．５ｍｍを有する先に述べた特定の実施形態では、例えば、フランジは、約９６°の角度βで第２選択カラー２４ｂの周辺の回りに伸張している。第２選択カラーの伸張スリーブ１００は、第２ウェート１６ｂのチャネル１１２内に着座し、第１選択カラー２４ａと互いに噛み合って、カラーが共に回転するようにする。外側セレクターノブ１４を回転させると、周辺フランジ９６ｂは、ハンドル１８の端部分４６の回りに回転する。ユーザーが第２ウェート１６ｂを選択すると、周辺フランジ２２４ｂは、第２ウェート１６ｂのタブ１２２の下に配置される。従って、調整可能なダンベル１０を支持基部１２から持ち上げると、第２選択カラー２４ｂの周辺フランジ９６ｂは、第２ウェート１６ｂのタブ１２２と係合し、第２ウェートを支持基部から持ち上げる。しかしながら、第２ウェートが選択されなければ、第２選択カラーの周辺フランジは、第２ウェートのタブの下には配置されず、ハンドルの外側端部分は、第２ウェートを支持基部から持ち上げることなく、チャネル１１２を通過して外に出る。調整可能なダンベルを支持基部１２から持ち上げると、第２ウェート１６ｂは支持基部内に留まり、支持基部の位置決め壁３０によって支持される。
【００３８】
図１４は、ハンドル１８の端部分４６上の、第２選択カラー２４ｂの直ぐ遠位側に配置されている第３選択カラー２４ｃの前面図である。図１４に示すように、第３選択カラーは、第３選択カラー２４ｃの周辺の一部分の回りに伸張している３つのフランジ９６ｃ、９６ｄ及び９６ｅを含んでいる。カラー２４が、外径８４ｍｍと、中心から周辺フランジ９６までの半径３２．５ｍｍを有する先に述べた特定の実施形態では、例えば、フランジ９６ｃ、９６ｄ及び９６ｅは、それぞれ約７２°、４８°及び７２°の角度γ、δ及びεで第３選択カラー２４ｃの周辺の回りに伸張している。第３選択カラー２４ｃの伸張スリーブ１００は、調整可能なダンベル１０の第３ウェート１６ｃのチャネル１１２内に着座し、第２選択カラー２４ｂと噛み合っている。外側セレクターノブ１４を回転させると、３つの周辺フランジ９６ｃ、９６ｄ及び９６ｅは、ハンドルの端部分の回りに回転する。ユーザーが第３ウェート１６ｃを選択すると、周辺フランジ９６ｃ、９６ｄ及び９６ｅの内の１つが、第３ウェート１６ｃのタブ１２２の下に配置される。従って、調整可能なダンベルを支持基部１２から持ち上げると、第３選択カラー２４ｃの周辺フランジ９６ｃ、９６ｄ及び９６ｅの内の１つが、第３ウェート１６ｃのタブ１２２と係合し、第３ウェートを支持基部から持ち上げる。しかしながら、第３ウェートが選択されなければ、第３選択カラー２４ｃの周辺フランジ９６ｃ、９６ｄ及び９６ｅの何れも、第３ウェート１６ｃのタブ１２２の下には配置されず、ハンドル１８の外側端部分は、第３ウェートを支持基部１２から持ち上げることなく、チャネル１１２を通過して外に出る。調整可能なダンベル１０を支持基部１２から持ち上げると、第３ウェート１６ｃは支持基部内に留まり、支持基部の位置決め壁３０によって支持される。
【００３９】
図１５は、ハンドル１８の端部分４６上の、第３選択カラー２４ｃの直ぐ遠位側に配置されている第４選択カラー２４ｄの前面図である。図１５に示すように、第４選択カラーは、第４選択カラー２４ｄの周辺の一部分の回りに伸張している５つのフランジ９６ｆ、９６ｇ、９６ｈ、９６ｉ及び９６ｊを含んでいる。カラー２４が、外径８４ｍｍと、中心から周辺フランジ９６までの半径３２．５ｍｍを有する先に述べた特定の実施形態では、例えば、フランジ９６ｆ、９６ｇ、９６ｈ、９６ｉ及び９６ｊが、それぞれ約４８°、２４°、２４°、４８°及び４８°の角度ζ、η、θ、κ及びλで第４選択カラー２４ｄの周辺の回りに伸張している。第４選択カラー２４ｄの伸張スリーブ１００は、調整可能なダンベル１０の第４ウェート１６ｄのチャネル１１２内に着座し、第３選択カラー２４ｃと互いに噛み合っている。外側セレクターノブ１４を回転させると、５つの周辺フランジ９６ｆ、９６ｇ、９６ｈ、９６ｉ及び９６ｊは、ハンドル１８の端部分４６の回りに回転する。ユーザーが第４ウェート１６ｄを選択すると、周辺フランジ９６ｆ、９６ｇ、９６ｈ、９６ｉ及び９６ｊの内の１つが、第４ウェート１６ｄのタブ１２２の下に配置される。従って、調整可能なダンベル１０を支持基部１２から持ち上げると、第４選択カラー２４ｄの周辺フランジ９６ｆ、９６ｇ、９６ｈ、９６ｉ及び９６ｊの内の１つが、第４ウェート１６ｄのタブ１２２と係合し、第４ウェートを支持基部から持ち上げる。しかしながら、第４ウェートが選択されなければ、第４選択カラーの周辺フランジ９６ｆ、９６ｇ、９６ｈ、９６ｉ及び９６ｊの何れも、第４ウェートのタブ１２２の下には配置されず、ハンドルの外側端部分４６は、第４ウェートを支持基部１２から持ち上げることなく、チャネル１１２を通過して外に出る。調整可能なダンベルが支持基部１２から持ち上げられると、第４ウェート１６ｄは支持基部内に留まり、支持基部の位置決め壁３０によって支持される。
【００４０】
図１６は、ハンドル１８の端部分４６上の、第４選択カラー２４ｄの直ぐ遠位側に配置されている外側セレクターノブ１４の前面図である。図１６に示すように、外側セレクターノブは、外側セレクターノブの周辺の一部分の回りに伸張している５つのフランジ９６ｋ、９６ｌ、９６ｍ、９６ｎ及び９６ｏを含んでいる。カラー２４が、外径８４ｍｍと、中心から周辺フランジ９６までの半径３２．５ｍｍを有する先に述べた特定の実施形態では、例えば、フランジ９６ｋ、９６ｌ、９６ｍ、９６ｎ及び９６ｏは、それぞれ約２４°、２４°、２４°、２４°及び２４°の角度μ、ν、ο、ρ及びΩで外側セレクターノブ１４の周辺の回りに伸張している。外側セレクターノブの伸張スリーブ１００は、調整可能なダンベル１０の第５ウェート１６ｅのチャネル１１２内に着座し、第４選択カラー２４ｄと互いに噛み合っている。外側セレクターノブ１４を回転させると、５つの周辺フランジ９６ｋ、９６ｌ、９６ｍ、９６ｎ及び９６ｏは、ハンドル１８の端部分４６の回りに回転する。ユーザーが第５ウェート１６ｅを選択すると、周辺フランジ９６ｋ、９６ｌ、９６ｍ、９６ｎ及び９６ｏの内の１つが、第５ウェートのタブ１２２の下に配置される。従って、調整可能なダンベルを支持基部１２から持ち上げると、外側セレクターノブの周辺フランジ９６ｋ、９６ｌ、９６ｍ、９６ｎ及び９６ｏの内の１つが、第５ウェートのタブ１２２と係合し、第５ウェートを支持基部から持ち上げる。しかしながら、第５ウェート１６ｅが選択されなければ、外側セレクターノブの周辺フランジ９６ｋ、９６ｌ、９６ｍ、９６ｎ及び９６ｏの何れも、第５ウェート１６ｅのタブ１２２の下には配置されず、ハンドルの外側端部分４６は、第５ウェートを支持基部１２から持ち上げることなく、チャネル１１２を通過して外に出る。調整可能なダンベル１０が支持基部１２から持ち上げられると、第５ウェートは支持基部内に留まり、支持基部の位置決め壁３０によって支持される。
【００４１】
図１２−１６に示す選択カラー２４をダンベル１０の各側に用いる場合、外側セレクターノブ１４を、同じ方向、例えば時計回りに回して、両側に同じ重量を選択しなければならない。このため、一方の外側セレクターノブをユーザーに向かって回し、他方の外側セレクターノブをユーザーから離れる方向に回さなければならない。しかしながら、当業者には容易に理解頂けるように、必要であれば、調整可能なダンベルの互いに反対側の両端部に鏡像のカラーを用いて、両端部に同じ重量設定を選択するために、両方の外側セレクターノブをユーザーに向かって回すか、ユーザーから離れる方向に回すようにすることもできる。
【００４２】
先に述べたように、調整可能なダンベル１０は、ピンが内側円盤２２に係合されるとウェート１６を所定の位置に固定し、ピンが内側円盤から係合解除されるとダンベルの重量を調整できるようにするばね負荷ピン３４ロック機構を含んでいる。図１７は、調整可能なダンベルの部分断面図であり、ばね負荷ピンロック機構が内側円盤の孔４０の内の１つと係合し、ばね負荷ボール４４が内側円盤の回り止め凹部４２の内の１つの中に着座している状態を示している。ばね負荷ピンが図１７に示すように係合されると、ばね負荷ピンは、内側円盤の複数の孔の内の１つと係合することによって内側円盤をロックし、内側円盤が回転しないようにする。内側円盤２２は各カラー２４及び外側セレクターノブ１４と噛み合っているので、ばね負荷ピン３４は、カラー２４の周辺フランジ９６がウェートのタブ１２２に対して回転しないようにすることによって、各ウェート１６を固定する。実施例の中には、ばね負荷ピンと安定バー１１８（図７参照）の組み合わせで、使用中及び選択中に、確実にウェートが調整可能なダンベル１０に固定され安定するようにしているものもある。受け入れ穴４０は、カラー２４が所望のウェートプレート１６と完全に係合されたときにだけ、ピンが特定の穴に向けられるように、内側円盤２２に配置されている。カラーとウェートプレートが適切に向けられているときにのみ、ピンは内側プレートとロックする。
【００４３】
図１８は、調整可能なダンベル１０の断面図であり、ばね負荷ピン３４ロック機構が内側円盤２２から係合解除され、外側セレクターノブ１４が設定の間にあり、即ち、ばね負荷ボール４４が内側円盤の回り止め凹部４２内にない状態を示している。ばね負荷ピンは内側円盤から係合解除されているので、内側円盤は、内側支持部材２０に対して自由に回転させることができ、従って、外側セレクターノブを回転させて、ダンベルの重量を調整することができる。図２及び図１８に示すように、プランジャ３２は、底壁から上向きに伸張し、ピン構造体の底部と係合している。プランジャは、上部傾斜カム表面１３０と、プランジャ３２から支持基部１２の端部に向かって外向きに伸張している突起３８を含んでいる。プランジャは、調整可能なダンベル１０を支持基部上に載せると突起が内側支持部材２０の空洞７２内へと伸張するように、支持基部上に配置されている。図１８に示すように、プランジャの上部傾斜カム表面は、内側支持部材の空洞の内側で、ばね負荷ピン３４の下向き傾斜表面１３２と接触する。調整可能なダンベルが支持基部上に降ろされる際に、プランジャ３２の上部傾斜カム表面１３０は、ばね負荷ピンの下向き傾斜表面と係合し、ばね負荷ピンを内側円盤２２の孔４０内の係合位置から引っ込ませ、ピン８０を内側円盤の孔から引き抜く。ばね負荷ピンが内側円盤の孔から引っ込むと、内側円盤はロック解除され、内側支持部材２０に対して回転させることができるようになるので、重量の選択を行なえるようになる。
【００４４】
この様に、調整可能なダンベル１０が支持基部１２上に降ろされると、プランジャ３２は、内側支持部材２０の空洞７２内へと伸張する。プランジャの上部傾斜カム表面１３０は、ばね負荷ピン３４の下向き傾斜表面１３２と係合し、ばね負荷ピンを内側円盤２２の孔４０から引っ込ませ、内側円盤を内側支持部材に対して回転できるようにする。この状態では、外側セレクターノブ１４を回転させることによってダンベルの重量を調整することができる。しかしながら、ダンベルを支持基部から取り外すと、プランジャの上部傾斜カム表面は、内側支持部材のばね負荷ピンの下向き傾斜表面から係合解除される。ばね８４は、ピン８０を、内側円盤の複数の孔の１つと係合して、内側円盤２２が内側支持部材２０に対して回転できないようにする（穴４０がピン３４と適切に整列していることを前提とする）、外向きに伸張した付勢位置まで押す。この様に、ダンベル１０を支持基部１２から取り外すと、ばね負荷ピンは、内側円盤２２の孔４０の１つと係合し、内側円盤、カラー２４及び外側セレクターノブ１４が内側支持部材２０及びハンドル１８に対して回転しないようにする。
【００４５】
プランジャ３２の上部傾斜カム表面１３０と、ばね負荷ピン３４の下向き傾斜表面１３２のそれぞれの角度によって、ばね負荷ピンが、ピンの外向き付勢位置からどれほど引っ込むかが決まる。或る実施形態では、例えば、プランジャの上部傾斜カム表面とばね負荷ピンの下向き傾斜表面は、約４０°の角度に傾斜しいている。更に、プランジャの本体から伸張しているプランジャの突起３８の長さは、約５ｍｍである。突起は、内側円盤２２の外周から伸張している歯３６の曲率と一致するように僅かに湾曲している。図２０Ａ―２０Ｅは、図１８のピンの或る実施例を示している。図２１Ａ―２１Ｅは、プランジャの或る実施例を示している。
【００４６】
ばね負荷ボール４４は、回り止め凹部４２と係合して、内側円盤２２が、何時、１つ又は複数のウェートが完全に係合され、即ち、カラー２４の１つ又は複数の周辺フランジ９６がウェート１６のタブ１２２と完全に係合される位置まで回ったかを示す。実施例の中には、ウェートが係合されないように調整可能なダンベル１０が配列されるものもある。更に、実施例の中には、ウェートがカラーの周辺フランジで適切に固定されると、ばね負荷ボールと回り止め凹部が、ユーザーに可聴及び／又は他の感覚的フィードバックを提供するものもある。この機能は、ユーザーが、ウェートセレクターノブ１４の適切な位置を決定するのに役立つ。
【００４７】
図５に関連付けて先に述べたように、内側円盤２２の回り止め凹部４２は、内側円盤の歯３６とは角度的にずれている。従って、ばね負荷ボール４４が図１７に示すように回り止め凹部の１つに着座しているときには、内側円盤の何れの歯も、内側支持部材２０の空洞７２内に伸張していない。この向きでは、支持基部１２のプランジャ３２は、内側支持部材２０の空洞７２へ自由に出入りし、ダンベル１０を基部から係合解除しないようにする歯３６も突起３８と係合しない。回り止め凹部４２は内側円盤２２の孔４０と整列しているので、ばね負荷ボール４４が回り止め凹部の１つに着座しているときは、ばね負荷ピン３４も、内側円盤の孔の１つと係合する整列位置にある。従って、プランジャが内側支持部材の空洞を出ると、即ち、ダンベルが支持基部から取り外されると、ばね負荷ピンは、内側円盤の孔の１つと整列し、ばねの付勢でピンが内側円盤の孔に押し込まれる。
【００４８】
しかしながら、図１８に示すように、ばね負荷ボール４４が、回り止め凹部４２の１つに着座していない場合、即ち、調整可能なダンベルのカラー２４が設定の間にあり、カラーの周辺フランジ９６が選択されたウェート１６のタブ１２２と完全には係合していない場合は、内側円盤２２のオフセットした歯３６の１つが、内側支持部材２０の空洞７２内に突き出る。この場合、歯がプランジャの突起を空洞内でロックするので、内側支持部材の空洞からプランジャ３２を取り外すことはできず、即ち、ダンベル１０を支持基部１２から取り外すことはできない。従って、ダンベルは、ばね負荷ボール４４が回り止め凹部４２の１つに着座し、カラー２４のフランジ９６がウェート１６のタブ１２２と完全に係合している場合にのみ、支持基部から取り外すことができる。或いは、カラーのフランジとウェートプレートの完全な係合は、選択ノブ１４の向きの正確なマーキング又は他の手段等の様なばねの回り止め以外の方法でも、示すことができる。セレクターノブの選択された向きを示す際に用いる位置ストリップについては、後に詳しく説明する。
【００４９】
図１に示す実施形態では、調整可能なダンベル１０は、５ポンドから５２．５ポンドの重量調整を考慮している。この実施形態では、調整可能なダンベル１０の組み合わせ重量は、ウェート１６が取り付けられていない状態で５ポンドであり、内側円盤２２と第２選択カラー２４ａ（第１）又は２４ｂ（第２）の間に配置される第１ウェート１６ａは７．５ポンドの重量であり、第１選択カラー２４ａと第２選択カラー２４ｂの間に配置される第２ウェート１６ｂも７．５ポンドの重量であり、第２選択カラー２４ｂと第３選択カラー２４ｃの間に配置される第３ウェート１６ｃは５ポンドの重量であり、第３選択カラー２４ｃと第４選択カラー２４ｄの間に配置される第４ウェート１６ｄは２．５ポンドの重量であり、第４選択カラー２４ｄと外側セレクターノブ１４の間に配置される第５外側ウェート１６ｅは１．２５ポンドである。この配列は、５、７．５、１０、１２．５、１５、１７．５、２０、２２．５、２５、３０、３５、４０、４５、５０及び５２．５ポンドの、調整可能なダンベル１０のために選択できる１５の増分ウェートを準備している。ウェート１６は、最も重いウェートをハンドル１８の中央グリップ部分２６に最も近い位置に、最も軽いウェートをハンドルの中央グリップ部分から最も遠い位置に配置するのが望ましい。ウェートは、必要に応じて、カラー２４を適切な重量選択ができるように適切に配置すれば、他の順序に配列することもできる。
【００５０】
別のばね負荷ピン３４ロック機構を使用している調整可能なダンベル１０の別の実施形態を図２９から３８に示す。先ず、図３２と図３４に示す実施形態では、ダンベル２１０は、ばね負荷ピン２１２ロック機構、プランジャ２１４及び保持バー２１６を含んでいる。次に図２５に示すように、支持基部２１８は、係合表面２２０と突起２２２を含んでいる。ダンベルを支持基部に載せているとき、ショルダ係合表面は、ダンベルの内側支持部材２２４内に収容されているプランジャと係合し、ばね負荷ピンロック機構を内側円盤２２６から係合解除する。ショルダ係合表面は、更に、突起が不用意に破壊又は損傷されないように保護する。突起２２２は、先に述べた突起３８と同様に、ウェート１６がカラー２３２と完全には係合していないか、係合解除されているときは、内側円盤２２６の歯２３０と選択係合するために、内側支持部材の周辺チャネル２２８内へ伸張している。
【００５１】
先に述べた突起及びロック機構と同様に、ばね負荷ピン２１２ロック機構は、係合しているときは、内側円盤２２６、カラー２３２及び外側セレクターノブ２３４がハンドル２３６に対して回転しないようにする。ダンベル２１０を支持基部２１８に載せると、係合表面２２０がプランジャ２１４と接触してばね負荷ピンロック機構を引っ込ませるので、外側セレクターノブを回して調整可能なダンベルの重量を調節できるようになる。この様に、調整可能なダンベルの重量は、ダンベルを支持基部に着座させると、一対の外側セレクターノブを回転させて、複数のウェート１６を複数のカラーに対し選択的に係合又は係合解除することによって調節することができる。
【００５２】
図３３と図３４は、調整可能なダンベル２１０の断面図であり、ばね負荷ピン２１２ロック機構が内側円盤２２６の孔２３８の１つと係合し、ばね負荷ボール２４０が内側円盤の回り止め凹部２４２の１つに着座している状態を示している。図３３と図３４に示すようにばね負荷ピンが係合しているとき、ばね負荷ピンは、内側円盤の複数の孔の１つと係合することによって内側円盤をロックし、内側円盤が回転しないようにしている。内側円盤２２６は、カラー２３２及び外側セレクターノブ２３４と噛み合っているので、ばね負荷ピンは、カラーの周辺フランジがウェート１６のタブ１２２に対して回転しないようにすることによって、各ウェートを固定する。ばね負荷ピン２１２は、安定バー１１８と共に、ダンベルが支持基部２１８へ再度載せられるまで、確実に重量が調整可能なダンベルに固定されているようにする。
【００５３】
図３０から図３２は、調整可能なダンベル２１０の断面図であり、ばね負荷ピン２１２ロック機構が内側円盤２２６と係合解除している状態を示している。ばね負荷ピン２１２が内側円盤２２６と係合解除しているので、内側円盤は内側支持部材２２４に対して自由に回転し、従って、外側セレクターノブ２３４を回して、ダンベル２１０の重量を調整することができる。図２９と図３２に示すように、ショルダ係合表面２２０は、支持基部２１８から上向きに伸張している。係合表面は、内側支持部材の空洞２４４内に伸張し、内側支持部材のプランジャ２１４と係合する。プランジャ（又はスライダー）（例えば図３２と図３３Ａ−３３Ｄ参照）は、下部係合表面２４６、上部傾斜カム表面２４８及びスロット２５０を含んでいる。保持バー２１６は、プランジャのスロットを通って伸張し、プランジャを内側支持部材の空洞内に保持し、更にプランジャが、内側支持部材の空洞内で少なくとも１つの軸に沿って、例えば垂直に滑動できるようにする。調整可能なダンベル２１０を支持基部２１８に降ろすと、支持基部の係合表面２２０は、プランジャ２１４の下部係合表面２４６に接触し、プランジャを、プランジャのスロット２５０によって画定されている経路に沿って垂直に押す。プランジャを更に内側支持部材２２４の空洞２４４へ押すと、プランジャの上部傾斜カム表面２４８は、ばね負荷ピン２１２の下向き傾斜表面２５２と接触するようになる。プランジャの上部傾斜カム表面は、ばね負荷ピンの下向き傾斜表面と係合し、ばね負荷ピンを、内側円盤２２６の孔２３８内のその係合位置から引っ込ませ、ピン２５４を内側円盤の孔から引き抜く（例えば図２７参照）。ばね負荷ピン２１２が内側円盤の孔から引き抜かれると、内側円盤はロック解除され、内側支持部材に対して回転できるようになる。
【００５４】
調整可能なダンベルは、支持基部がウェートプレートを解放する必要が無いように構成することもできる。そのような構成では、プランジャは、調整可能なダンベルを床又はテーブルのような表面上に置けばプランジャがその表面と係合するように、調整可能なダンベルの底面を超えて伸張するよう配置される。プランジャは、床又は他の表面と係合すると、ロック装置と係合状態になり、支持プレートを内側円盤から係合解除し、その結果、セレクターノブとカラーが自由に回転できるようになる。
【００５５】
この様に、調整可能なダンベル８１０を支持基部２１８上に降ろすと、支持基部の係合表面２２０は、プランジャ２１４の下部係合表面２４６に接触し、プランジャを、内側支持部材２２４の空洞２４４内へと押す。プランジャの上部傾斜カム表面２４８がばね負荷ピン２１２の下向き傾斜表面２５２と係合すると、ばね負荷ピンは、内側円盤２２６の孔２３８から引っ込み、内側円盤が内側支持部材２２４に対して回転できるようになる。この状態で、外側セレクターノブ２３４を回転させることによって、ダンベル２１０の重量を調整することができる。
【００５６】
所望の重量を選択して、ダンベルを支持基部２１８から取り外すと、ばね負荷ピン２１２は、ばね負荷ピンのばね２５６の加える付勢力によって内側円盤２２６に向かって外向きに押し出される。ばね負荷ピンの下向き傾斜表面２５２は、プランジャ２１４の上部傾斜カム表面２４８と係合して、プランジャを、ばね負荷ピンから押し離し、プランジャの上部傾斜カム表面は、ばね負荷ピンの下向き傾斜表面から係合解除される。重力も、プランジャを下方向に動かすのを支援をする。ばね２５６は、ピン２５４を、内側円盤２２６の複数の孔２３８の１つと係合して内側円盤が内側支持部材２２４に対して回転しないようにする、その伸張した付勢位置まで外向きに押し出す。従って、ダンベル２１０を支持基部２１８から取り外すと、ばね負荷ピン２１２は、内側円盤の孔の１つと係合して、内側円盤、カラー２３２及び外側セレクターノブ２３４が内側支持部材及びハンドル２３６に対して回転しないようにする。
【００５７】
先に述べたように、プランジャ２１４の上部傾斜カム表面２４８と、ばね負荷ピン２１２の下向き傾斜表面２５２のそれぞれの角度によって、ばね負荷ピンが、ピンの外向き付勢位置からどれほど引っ込むかが決まる。或る実施形態では、例えば、プランジャの上部傾斜カム表面とばね負荷ピンの下向き傾斜表面は、垂直から約４０°の角度に傾斜している。突起２２２は、先に述べたように内側円盤２２６の外周から伸張している歯２３０の曲率と一致するように僅かに湾曲している。
【００５８】
更に、調整可能なダンベル２１０は、ウェート１６が完全には係合されていないか、カラー２３２によって係合解除されていなければ、支持基部２１８から取り外せない。先にも述べたように、ダンベルの内側支持部材２２４は、ウェートが完全には係合されていないか、カラーによって係合解除されているときには、突起２２２と係合する複数の歯２３０を含んでいる。ウェートがカラーによって完全には係合されていないとき、歯は突起と係合し、突起が内側支持部材の空洞２４４から出ないようにして、ダンベルが支持基部から取り外されないようにする。カラー２３２が所望の重量に適切に整列し、ダンベル２１０が支持基部２１８から取り外されると、ばね負荷ピン２１２のロック機構は、内側円盤２２６と再係合して、内側円盤、カラー２３２及び外側セレクターノブ２３４がハンドル２３６と内側支持部材２２４に対して回転しないようにする。この様に、ウェート１６が所定の位置にロックされ、外側セレクターノブを回転させて異なる組み合わせの重量を選択することはできない。
【００５９】
この実施形態では、外側セレクターノブは、外周の回りに円形のへこみを有しており、ユーザーが、ダンベルの重量を調整する際に、外側セレクターノブ２３４をしっかりと握って回転させることができるようになっている。代わりに、外側セレクターノブは、しっかりしたグリップ表面をユーザーに提供するために他の形状のへこみ又は突起を有していてもよい、図３９から図４５に示すように、例えば、外側セレクターノブは、グリップ表面を提供するためにＶ字型のへこみを有していてもよい。更に、ハンドルの中心グリップ部分は、ユーザーが使用中にダンベルを更にしっかり握ることができるように上張りを有している。或る実施形態では、例えば、上張りは、軟らかく馴染みの良いゴム又ゴム状の滑りにくい材料を有している。更に、上張りは、ユーザーがダンベルをしっかり握ることができるように織布のグリップ表面を有していてもよい。図１に示すように、例えば、グリップの上張りは、上張りの外側表面を越えて伸張している細長い卵型の突起を有しており、ユーザーがダンベルを握り易いようにしているものでもよい。そうではなくて、上張りは、陥没部又は穴を有するグリップ表面としてもよい。
【００６０】
基部３１０は、ダンベル１０を載せたときにダンベルを支持できるだけ強いモールド成形可能なプラスチック材料で作られている。ダンベルは、例えば重量選択を変更するために基部上で取り扱われるので、基部は、ダンベルを置く支持面が安定しているのがよい。更に、ダンベルを基部から取り外し、或いは基部に戻す際に、基部が容易に動かないのがよい。ダンベルを基部に載せる際には、ウェートプレート１６がそれぞれの区画に収容されることになるので、基部の支持面が容易に動けば、ダンベルを基部から取り外したり基部へ戻すのが難しくなる。
【００６１】
図３４は、基部３１０の一例の断面図であり、ダンベル１０は含まれていない。図３５は、基部の上部３１２、ウェートバー３１６付きのプレート３１４、及び基部底部分３１８の分解図である。基部を固定するのに他の型式、量又は位置のウェートを使用してもよい。基部は、上部と下部を有しており、前記２つの部分の間にプレートが保持されている。締結具３２０（図示せず）は、滑り止め脚部３２２、底部、プレートを通って上部へと伸張し、アッセンブリを一体に保持している。約５ポンドの合計重量を有する３つの鋼製ウェートバー３１６は、プレート３１４に取り付けられ、支持され、基部３１０に十分な重量を提供して、支持面上で容易に動き回らないようにしている。クレイトン（Ｋｒａｔｏｎ）などで作られている滑り止め脚部３２２が底部に配置され、基部が支持面上で安定するよう支援している。基部の底部３１８は、基部の両端の間に、上向きの弓形の湾曲部３２４を有しており、基部と支持面の間に幾らか空間を形成している。ウェートバーを支持しているプレートは、剛性がありウェートブロック自体を支持するので、基部の底部は、ウェートブロックを支持する必要はない。図３４及び図３５は、更に、ダンベル１０の解除機構を作動させるためのショルダ係合部３２６と、ウェートのセレクターが完全選択位置にないときに内側プレートを基部にロックしておくための突起３２８を示している。
【００６２】
図の基部３、基部４及び基部５は、基部を支持面に固定するための異なるウェート構造体を備えた、ダンベル１０用の基部の別の実施形態４１０を示している。図３６は、上側基部ハウジング４１２、下側基部ハウジング４１４、及び、上側と下側の基部ハウジングの間に配置され保持されているウェートパック４１６を示している。締結具４１８は、滑り止め脚部４２０、底部、ウェートパックを通り上部に伸張してアッセンブリを一体に保持している。ウェートパックは、鋼砂とコンクリート（又は液体、ボールベアリング、砂等を含む何らかの重量物質）の入った、ブロー成形のプラスチックコンテナ構造体である。ブロー成形のコンテナは構造部材ではあるが、重量材料を中に保有できる限り、プラスチックバッグ様のコンテナのような柔軟性のあるものでもよい。基部の底部４１４は、平坦で、ウェートパック４１６の重量を支持する。平坦な底は、ウェートパックの荷重を受けて少し曲がれば、基部４１０が載っている支持面に沿うことになる。図３７は、上側ハウジング４１２、ウェートパック４１６、ハウジングの下側部分４１４、滑り止め脚部４２０を備えた、基部の別の実施形態の分解図を示している。どちらの実施形態も、取り扱い用くぼみ４２２が基部の両端に形成され、ダンベルの基部又はダンベルと基部の組み合わせを運搬し易くしている。図３４−３８を参照されたい。代わりに、取り扱い用突起を基部に形成してもよい。
【００６３】
ダンベル１０の重量負荷を選択するためのセレクターノブ５１０は、図３９−４５を含む幾つかの図面に示されている。各端部にはノブがあり、各ノブは実質的に他方と同じである。セレクターノブは略円形であり、外側部片５１２、内側部片５１４及びウェートセレクターインジケーター５１６で作られている。外側及び内側部片は、ガラス補強ナイロンで作ることもできる。ノブの大部分は、望ましくはショアー硬さ６０程度を有するクレイトン又はサントプレーン（Ｓａｎｔｏｐｒｅｎｅ）の様なポリマー又は同様の材料のような被覆成形材料５１８で覆われている。セレクターノブは、ハンドルバー５１８の各端部に配置され、ねじ締結具５２０などで固定されており、永久取り付け式、取り外し式の何れでもよい。各ノブ５１０は、ハンドルバーに対して回すことができる。ノブの内側部片５１４は、中央の孔５２４の回りに形成され、隣接するカラーの外側表面と係合するために内側から内向きに（ハンドルの中央に向かって）伸張しているカラー５２２を有している。ノブのカラーは、隣接するカラーの対応するくぼみ５３４に挿入して、ノブのカラーを隣接するカラーと回転方向に係合させるための係止突起５２６を有しており、ここで詳しく説明する。図３９及び図４２を参照されたい。内側部片５１４の内側表面は、更に、ダンベル１０の負荷選択で決定された隣接するウェートプレート１６と係合するためのタブを有している。図４２を参照されたい。
【００６４】
セレクターノブ５１０は、マーキングが形成されているインジケーターを有している。或る実施例では、ノブのウェートセレクターのインジケーター５１６部分は、ナイロン６等の様な材料を、可動ヒンジ５３２で接続されている幾つかの区画５３０を有する長い部片へモールド成形することによって形成されるストラップ５２８である。各区画の外側表面５３６上に、隆起した数字５３４が形成されている。幾つかの区画５３０の内側表面５４０上には、位置決めタブ５３８が形成されている。位置決めタブは、ストラップ５２８をノブ５１０上に装着するため環状に形成する（図４４参照）ときに、タブがノブの対応するスロットに入り、各種隆起数字が確実に正しい方向を向くように形成される。各数字はダンベル１０の選択された重量のインジケーターなので、ノブ上のストラップの位置は重要であり、ウェートセレクターの数字５３２が正確になるように、ストラップを、カラー５２２の位置と整合するノブの向きに固定するか、整合させなければならない。ストラップ５２８の各区画５３０のエッジには、傾斜が付けられている。ストラップは、モールド成形されると、ノブの内側部片５１４の外側に形成されているくぼんだ環状リム５４２の上に配置される。図４０を参照されたい。タブ５３８は、環状リムに形成されているそれぞれの凹部に挿入され、外側部片５１２が、内側部片５１４上に嵌合され、取り付けられる。外側部片は、ストラップの区画の傾斜の付いたエッジを受け入れるための傾斜付環状凹部５４４を有しているので、ストラップを組み立てられたノブ上に効果的にクランプすることができる。図３９、４１及び４２を参照されたい。ノブ５１０の内側部片５１４上のくぼんだ環状リム５４２も、その内側エッジに傾斜の付いたくぼみを有しており、区画の傾斜付エッジを環状に受け入れ、ストラップをノブ上に同様にクランプする。
【００６５】
次に被覆モールド５１８材料が、ノブの外側表面に掛けられる。隣接するカラー５２４に接続しなければならない内側部片５１４の内側面の様な、外側表面の一部は、被覆モールド材料では覆われない。しかしながら、グリップ表面は、グリップ特性を良くするため被覆モールド成形材料で覆われる。ストラップ５２８の数字の上面は、ウェートインジケーターの数字５３４が対比色で見易いように、被覆モールド材料で覆われてはいない。これは、被覆モールド材料が数字のインジケーターを覆わないようにするために、被覆モールド成形５１８材料を掛ける際に用いられるモールド型を、数字の上面と確実に接触させることによって実現できる。従って、数字の上面は、被覆モールド成形材料の上面と面一だが、なお、被覆モールド成形材料との色の対比により、はっきりと見える。例えば、ノブ５１０の内側部片５１４上に形成されている各数字５３４に付帯して図４１に示す矢印５４６の様な他の造形(features)も、確実に視認できるように同様に処理することができる。被覆モールド５１８は、数字と矢印の両方の上面が面一で、ユーザーに見えるようにするため、モールド成形工程の間に、矢印の上部が、ストラップ５２８の数字の上部と共に、接触するよう設計されている。数字と矢印は、モールド型と接触させたとき圧縮を掛けて材料と面一の状態から僅かに上に突出させ、モールド型を取り外したとき、数字と矢印の上面が、被覆モールド材料の上面より僅か上に突出し、追加的触感を出すようにすることもできる。
【００６６】
バーの別の実施形態６１０を、図４５と図４６に示している。図４５では、バーは、別体のグリップ部分６１４を貫通して伸張する円筒形のロッド６１２（中空又は中実）である。グリップ部分は、負荷を快適に操作できるように輪郭付けられており、その上に何箇所か摩擦増大材料６１６の領域を形成してもよい。グリップ部分は、一対のセットスクリュー締結具等でバーに保持されている。或る実施例では、バーのグリップ部分は鋼で形成されているが、アルミニウム、ゴム、ポリマー等の様な別の適切な材料を用いてもよい。２つの相対するスロット６１８が、グリップ部分の両端部６２０に形成されている。これらのスロットは、後で詳しく述べるが、内側支持部材７１０に形成されているタブ７２０を受け入れ、内側支持部材をハンドルのグリップ部分の端部と回転方向に係合する。これにより、内側円盤が、グリップ部分及びバーと別々に回転しないようになる。ロッドの両端部には、端部ノブ５１０をバーに取り付けるための締結具を受け入れるねじ穴６２２が設けられている。
【００６７】
内側支持部材７１０の別の構造を図４７と図４８に示している。内側支持部材は、バー６１０のグリップ部分６１４の両側の端部に取り付けられる。図４７と図４８に示す内側支持部材は、内側表面７１２（図４７参照）と外側表面７１４（図４８参照）を有している。中央孔７１６は、支持部材を貫通して形成されており、内側表面の中央孔の回りに大きな凹部７１８が形成されている。先にバー６１０の構造に関して論じたように、２つの相対するタブ７２０が、ハンドル１８のグリップ部分６１４の対応するスロット６２０と係合するために、凹部内に半径方向に伸張している。サポートの上部の切り取り領域７２２は、ダンベル１０を使用するため基部から取り外すときに、ウェートが回転しないようにするため、ウェート１６の上部に沿って伸張するブリッジ１１８の内側端部７２４を受け入れて（２つのねじ締結具で）固定する。サポートの底部エッジ７２８は、基部と係合するため平坦になっており、凹部７３０が、先に述べたように、ショルダ係合３２６構造体と突起３２８を受け入れるために支持部材内の平坦なエッジ部分に形成されている。凹部内の開口部７３２は、内側表面まで伸張し、ロック装置のばね負荷ピン３４部分を支持部材内に配置するすると共に、ボール戻り止め４４構造体を支持部材内に配置するために、凹部にアクセスできるようにしている。切り取り部７３４は、カバープレート７４を受け入れるため、凹部への開口部を囲んで形成されている。凹部の底部の孔７３６は、スライド係合器／プランジャ２１４を滑動可能に保持するピン２１６用の孔である（図３２参照）。
【００６８】
図４８は、内側支持部材の外側表面７１４を示している。外側表面には、幾つかの補強造形７３８が設けられ、支持部材に十分な構造強度を提供している。溝７４０は、内側円盤の歯を受け入れるために、支持部材のエッジの回りに伸張しており、どこかで説明したように、ウェートプレートを選択する間に、交互に突起３２８と係合し、係合解除される。ロッド６１２を受け入れるための中央孔７１６が示され、支持部材の上部には、ブリッジ１１８を受け入れるためのノッチ７４２が形成されている。底部の凹部７４４は、３つの孔７４８が形成されているハウジング７４６へと伸張している。中央孔に最も近い孔７４８ａは、ボール回り止め４４の位置インジケーターのための孔である。ボール８９とばね８８は、支持部材の内側からその中に配置される。次の孔７４８ｂは、ロック装置のばね負荷ピン３４部分のための孔である。ピン８０とばね８４は、支持部材の内側からその中に配置される。第３孔７４８ｃ（内側面７１２では７３６と呼ぶ）は、先に述べたように、スライト係合器／プランジャ２１４を保持するピン２１６のための孔である。プランジャは、凹部７４４の閉鎖部分７５０の下端部に底部から配置され、保持ピンは、プランジャをそこに保持するため受け入れ孔内に圧入される。プランジャは、凹部の閉鎖部分から伸張する。凹部の底部７５２は、閉鎖されておらず、保持ショルダ３２６を受け入れる。どこかで述べたように、ショルダは、ダンベル１０が基部４１０上に置かれると、プランジャ２１４を凹部の閉鎖部分まで上向きに押し、ロック機構を起動する。
【００６９】
ブリッジ１１８は、各内側支持部材７１０に取り付けられ、各ウェート１６のスロット１１２を通って外向きに伸張している。ブリッジは、ノブ５１０の内側リム５５６の溝に嵌合する外側端部７５４を有している。ノブを回すと、ブリッジの外側端部は溝に沿って滑動し、重量選択の際にノブを回せるようになっている。ブリッジの外側端部は、ノブの溝の側面と偶発的に接触することもある。接触しなければ、ブリッジは、効果的に片持ち梁である。図３９を参照されたい。ブリッジは、使用中にウェートがロッド６１２上で回転しないようにしている。
【００７０】
ダンベル１０と共に使用するための別のウェートプレート８１０を図４９-５４に示している。これらのウェートプレートは、先に図示し説明した（図１０参照）、鋳造その他の方法で一体に成形された金属で作られているウェートプレート１６と同様である。この別のウェートプレートは、一体に成形されているのではなく、複数の金属プレートの層で構成されている。或る実施例では、ウェートプレートはＣＲ鋼であり、亜鉛めっきが施されている。何枚かの層は全体形状をしている主要プレートであり、何枚かの層は部分プレートで主要プレートに取り付けられている。例えば、図４９に示すウェートプレートは、２枚の主要プレート８１２と、主要プレートの図示の側に取り付けられている４枚の部分プレート８１４で作られている。部分プレートは、主要プレートの両側に取り付けてもよい。部分プレートと主要プレートは、リベット８１６を使って一体化されており、或る例では、図４９に示すように４本のリベットが用いられている。図５０は、２．５ポンドのウェートプレートを分解図で示している。２枚の主要プレートと、内側表面８１８に取り付けられる２枚の部分プレート（４部片）と、外側表面８２０に取り付けられる２つの部分プレート（４部片）で構成されている。４本のリベットを使って、プレートを一体に接合している。タブ８２２が、主要プレート８１２の外側表面の中央溝８２４の直ぐ下に溶接されており、このウェートプレート８１０を使うように重量選択がなされると、対応するカラータブ８２６と係合するようになっている。図Ｐ２及びＰ５を参照されたい。
【００７１】
プレートは、単一のユニットに組み立てた後、被覆モールド材８２８で被覆される。被覆モールド材は、ナイロン、ガラス入りナイロン(glass filled nylon)、ポリプロピレン、クレイトン等の熱可塑性材料の様なプラスチックで、厚さは約１．２ｍｍである。図５１は、被覆されたウェートプレート８３０を示している。被覆されたウェートプレートは、ウェート８１０が互いに接触するときに生じる騒音を低減し、或る種のフローリング表面に損傷を加えるのを防ぎ、更に、一般的に良好なグリップ表面を提供する。被覆は、接する部品間の摩擦を下げる働きもする。被覆モールド材８２８の被覆は、異なる大きさのウェートプレート又は他の理由で有色被覆とすることもできる。図５１に示すような、ウェートプレートの中心の回りのへこみ８３２の輪は、被覆工程の間に作られる被覆モールド材料内の幾つかの穴の必要性を隠す。被覆モールド材を掛けると、タブ８２２は、ウェッジ８３４となる。図５２は、４枚の主要プレート８１２と、主要プレートの各側に２枚の部分プレート８１４を有するウェートプレート８１０の代表的な断面である。被覆モールド材は、ウェートプレートのエッジ８３６を滑らかにする。図５２は、図５１と同じウェートプレートの代表的な断面であり、中央溝８２４の直ぐ下に溶接されたＬ字型タブを有する４つの主要プレートを示している。図５４は、２枚の主要プレートを有し、片側に２枚の部分プレート８１４ａが、もう片側には５枚の部分プレート８１４ｂが取り付けられている異なるウェートプレートの代表的な断面である。必要ならば、各プレートを、リベット８２６を使用することなく一体に接合することもできる。各プレートは、溶接しても、接着しても、エッジ８３６の回りをクリップ留めしてもよいし、他の接続手段を用いてプレートを一体に保持してもよい。組み立てられたプレートは、被覆モールド材８２８を掛けずに用いてもよい。複数の主要プレート８１２と部分プレート８１４を組み合わせると、所望の重量を得ることができる。
【００７２】
図５５−５７は、先に述べた代りの実施形態を示している。図５５では、ダンベル９１０は基部９１２に載っている。この状態では、ロック機構が作動停止しているので、ハンドル９２０の各端のセレクターノブ９１４を所望の重量負荷まで回転する（そうすると、カラー９１６を回転させて所望のウェート９１８を選択することになる）ことによって、重量を選択することができる。文字盤に記された重量を得るためには、重量の選択は両端部で同じ（即ち、どちらの端部でも「５」を選択する）でなければならない。しかしながら、必要なら、各ノブを異なる重量レベルに回転させ、２つの選択された重量レベルの間の合計重量を実現することもできる。図５６は、基部９１２から持ち上げられている、最大重量のダンベル９１０を示している。ウェートプレート９１８は基部に１枚も残っていない。ダンベルを基部から外すと、ロック機構が作動し、カラー９１６は回せなくなる。ブリッジ９２４は、ウェートがカラーに対して回転したり向きを変えたりしないようにする。図５７は、３０ポンドの重力負荷を有するダンベルが、基部から持ち上げられた状態を示している。基部の片側に３個づつ合計６個のウェートプレート９１８ａが基部９１２に残っている。仕切り９２６は、ウェートプレート９１８を直立に保持し、ダンベルを受け入れる準備ができている。
【００７３】
図５８Ａと図５８Ｂは、内側円盤の回転を防ぐために内側円盤と作動的に連結する回転防止装置の別の実施形態の２つの図である。回転防止装置又はロック装置は、複数のセレーション又は歯を画定する湾曲した表面を有するばね付勢部材を含んでいる。この実施形態の内側円盤はも、その外周に沿って噛み合いセレーションを有している。ロック装置は、内側円盤の外周に向かってばねで付勢されているので、反対向きの力が無いときには、ロック装置のセレーションが内側円盤の噛み合いセレーションと係合して、内側円盤が回転するのを防ぐ。しかしながら、ダンベルを支持基部又は他の表面上に置くと、作動器がばね付勢部材と係合し、この部材を内側円盤の外周から押し出す。この様に、ダンベルが基部又は別の表面上にあるときには、ばね付勢部材のセレーションが、内側円盤の外周に沿うセレーションから係合解除されるので、内側円盤はハンドル及び内側支持部材に対して自由に回転させることができる。基部から持ち上げるか又は表面から離すと、この部材は内側円盤と係合し、ダンベルを使用している間に内側円盤が回転しないようにする。
【００７４】
図５８Ａは、別の実施形態の（上に述べた）回転防止装置又はロック装置が、内側円盤１００２と係合している状態を示している。レバーアーム１００４は、レバー１００４の一方の端部が凹部１００８内に伸張し、レバーの他方の端部がロック装置のブロック１０１０と係合するように、内側支持部材１００６と回転可能に連結されている。ブロック１０１０は、その上部表面に、内側円盤１００２の外側リム上の対応するギア歯又はセレーションと係合するギア歯又はセレーションを有している。ばね１０１２は、ロック装置のブロック１０１０を付勢して、内側円盤１００２と係合させ、凹部１００８内のレバーアーム１００４の端部が下向きになるようにする。図５８Ｂに示すように、調整可能なダンベルを支持基部１０１４に載せると、プランジャ１０１６（又は、ダンベルを載せる基部又は支持表面の他の部分）は、レバーアーム１００４と係合し、ロック装置のブロック１０１０をばねに抗して押し下げて、内側円盤１００２を係合解除する。ダンベルを基部又は支持表面から持ち上げると、ばねは、ブロック１０１０を付勢して内側円盤と接触させ、内側支持部材１００６及びハンドルに対する内側円盤の回転を拘束する。代わりに、ロック装置を内側支持部材の上部１０１８に取り付け、ブロック１０１０のセレーションを下向きに配置して内側円盤１００２に沿うセレーションと係合するようにしてもよい。その場合、レバーアーム１００４は含まれない。代わりに、滑動可能に支持されている細長いロッドが、内側支持部材の上部と内側支持部材の下部との間に伸張している。ロッドの上部１０１８は、ロック装置と作動的に連結されている。調整可能なダンベルを支持基部に載せると、係合表面がロッドに接触してロッドを上向きに滑動させる。ロック装置のブロックと連結されているので、ロッドが上方向に動くと、ロック装置が内側円盤から係合解除され、内側円盤が回転できるようになり、重量選択の調整ができるようになる。
【００７５】
以上、本発明の好適な実施形態について或る程度具体的に説明してきたが、当業者であれば、本発明の精神又は範囲から逸脱することなく、開示した実施形態に数多くの変更を加えることができるであろう。方向を示す全ての用語（例えば、上部、下部、上向き、下向き、左、右、左向き、右向き、上、底、上方、下方、垂直、水平、時計回り、及び反時計回り）は、読者が本発明を理解し易くなるよう識別のために用いているだけであり、位置、向き又は本発明の使用について限定するものではない。結合の用語（例えば、取り付ける、連結する、接続する、載せる等）は、広義に解釈され、要素の接続の間の中間部材と要素間の相対運動とを含むものとする。而して、結合の用語は、必ずしも、２つの要素が直接接続され、互いに固定関係にあることを意味しない。上記説明に含まれている、或いは添付図面に示されている全ての事項は、説明をするためのものであって、限定を加えることを意図してはいない。特許請求の範囲に定義する本発明の精神から逸脱することなく、細部又は構造に変更を加えることもできる。
【図面の簡単な説明】
【００７６】
【図１】本発明の一の実施形態による、調整可能なダンベルの等角図である。
【図２】本発明の一の実施形態による、支持基部の等角図である。
【図３】本発明の一の実施形態による、内側支持部材の等角図である。
【図４】図３の、線４−４に沿う内側支持部材の断面図である。
【図５】本発明の一の実施形態による、内側円盤の等角図である。
【図６】本発明の一の実施形態による、ハンドルの前面図である。
【図７】図１の調整可能なダンベルの前面図であり、ウェートプレートが取り外された状態を示している。
【図８】本発明の一の実施形態によるカラーの等角図であり、カラーの外側面を表している。
【図９】図８のカラーの等角図であり、カラーの内側面を表している。
【図１０】本発明の一の実施形態による、ウェートプレートの前面図である。
【図１１】図１０の、線１１−１１に沿うウェートプレートの断面図である。
【図１２】本発明の一の実施形態による、カラーの或る実施例の前面図である。
【図１３】本発明の一の実施形態による、カラーの第２実施例の前面図である。
【図１４】本発明の一の実施形態による、カラーの第３実施例の前面図である。
【図１５】本発明の一の実施形態による、カラーの第４実施例の前面図である。
【図１６】本発明の一の実施形態による、セレクターノブの或る実施例の前面図である。
【図１７】ロック機構が係合位置にある、ハンドルと、内側支持部材と、内側円盤の部分前面断面図である。
【図１８】ロック機構が非係合位置にある、部分前面断面図である。
【図１９】ハンドルと内側支持部材の一部分の代表的な前面断面図である。
【図２０Ａ】本発明の一の実施形態による、ロックピンの等角図である。
【図２０Ｂ】図２０Ａのロックピンの前面図である。
【図２０Ｃ】図２０Ａのロックピンの側面図である。
【図２０Ｄ】図２０Ａのロックピンの後面図である。
【図２０Ｅ】図２０Ａのロックピンの上面図である。
【図２１Ａ】本発明の一の実施形態による、プランジャの等角図である。
【図２１Ｂ】図２１Ａのプランジャの側面図である。
【図２１Ｃ】図２１Ａのプランジャの前面図である。
【図２１Ｄ】図２１Ａのプランジャの上面図である。
【図２２】或る実施例の支持基部と係合している調整可能なダンベルの或る実施例の等角図である。
【図２３】本発明の一の実施形態による、調整可能なダンベルの或る実施例の部分等角図である。
【図２４】一の実施例の支持基部と係合している調整可能なダンベルの或る実施例の断面図である。
【図２５】支持基部の一の実施例の等角図である。
【図２６】一の実施例の支持基部と係合している調整可能なダンベルの一の実施例の断面図である。
【図２７】主に内側支持部材と内側円盤の一の実施例を示している部分断面図であり、ロックピンが内側円盤と係合していない状態を示している。
【図２８】一の実施例の支持基部から取り外された調整可能なダンベルの一の実施例の等角図である。
【図２９】主に内側支持部材と内側円盤の一の実施例を示している部分断面図であり、ロックピンが内側円盤と部分係合している状態を示している。
【図３０】本発明の一の実施形態による、ロックピンの等角図である。
【図３１Ａ】図３０のロックピンの第２の等角図である。
【図３１Ｂ】図３１Ａのロックピンの前面図である。
【図３１Ｃ】図３１Ａのロックピンの側面図である。
【図３１Ｄ】図３１Ａのロックピンの後面図である。
【図３１Ｅ】図３１Ａのロックピンの上面図である。
【図３２】本発明の一の実施形態による、プランジャの等角図である。
【図３３Ａ】図３２に示しているプランジャの第２の等角図である。
【図３３Ｂ】図３３Ａのプランジャの前面図である。
【図３３Ｃ】図３３Ａのプランジャの側面図である。
【図３３Ｄ】図３３Ａのプランジャの上面図である。
【図３４】本発明の一の実施形態による、支持基部の別の実施例の断面図である。
【図３５】図３４に示した支持基部構造体の分解等角図である。
【図３６】本発明の一の実施形態による、支持基部の別の実施例の断面図である。
【図３７】図３６に示した支持基部構造体の分解等角図である。
【図３８】図３６に示した支持基部構造体の等角図である。
【図３９】本発明の一の実施形態による、基部構造体と、これと係合している調整可能なダンベルの断面図である。
【図４０】本発明の一の実施形態による、セレクターノブの分解等角図である。
【図４１】図４０のセレクターノブを組み立てた状態の等角図であり、セレクターノブの外側面を示している。
【図４２】図４０のセレクターノブを組み立てた状態の等角図であり、セレクターノブの内側面を示している。
【図４３】本発明の一の実施形態による、番号ストリップの等角図である。
【図４４】図４３の番号ストリップの等角図であり、セレクターストリップが略円形構造体に形成された状態を示している。
【図４５】本発明の一の実施形態による、ハンドルの一の実施例の等角図である。
【図４６】図４５のハンドルの前面断面図である。
【図４７】本発明の一の実施形態による内側支持部材の等角図であり、内側支持部材の内側表面を示している。
【図４８】図４７の内側支持部材の等角図であり、内側支持部材の外側表面を示している。
【図４９】本発明の一の実施形態による、ウェートプレートの等角図である。
【図５０】図４９のウェートプレートの分解等角図である。
【図５１】本発明の一の実施形態による、被覆モールド成形被覆されたウェートプレートの等角図である。
【図５２】本発明の一の実施形態による、ウェートプレートの一の実施例の等角断面図である。
【図５３】本発明の一の実施形態による、別のウェートプレートの等角断面図である。
【図５４】本発明の一の実施形態による、ウェートプレートの別の実施形態の等角断面図である。
【図５５】本発明の一の実施形態による、一の実施例の支持基部と係合している一の実施例の調整可能なダンベルの等角図である。
【図５６】図５５の調整可能なダンベルと支持基部の等角図であり、ダンベルがウェートプレートと係合している状態を示している。
【図５７】図５５のダンベルと支持基部の等角図であり、ダンベルが支持基部から外され、ウェートプレートの一部と係合している状態を示している。
【図５８Ａ】ダンベルが使用されているときに、内側円盤をハンドルに対して回転しないように保つ、支持円盤と内側円盤の間の回転制御構造体の別の実施形態を示している。
【図５８Ｂ】ダンベルが使用されているときに、内側円盤をハンドルに対して回転しないように保つ、支持円盤と内側円盤の間の回転制御構造体の別の実施形態を示している。
【図１】
2005528960.tif 000003
【図２】
2005528960.tif 000004
【図３】
2005528960.tif 000005
【図４】
2005528960.tif 000006
【図５】
2005528960.tif 000007
【図６】
2005528960.tif 000008
【図７】
2005528960.tif 000009
【図８】
2005528960.tif 000010
【図９】
2005528960.tif 000011
【図１０】
2005528960.tif 000012
【図１１】
2005528960.tif 000013
【図１２】
2005528960.tif 000014
【図１３】
2005528960.tif 000015
【図１４】
2005528960.tif 000016
【図１５】
2005528960.tif 000017
【図１６】
2005528960.tif 000018
【図１７】
2005528960.tif 000019
【図１８】
2005528960.tif 000020
【図１９】
2005528960.tif 000021
2005528960.tif 000022
2005528960.tif 000023
【図２２】
2005528960.tif 000024
【図２３】
2005528960.tif 000025
【図２４】
2005528960.tif 000026
【図２５】
2005528960.tif 000027
【図２６】
2005528960.tif 000028
【図２７】
2005528960.tif 000029
【図２８】
2005528960.tif 000030
【図２９】
2005528960.tif 000031
【図３０】
2005528960.tif 000032
2005528960.tif 000033
【図３２】
2005528960.tif 000034
2005528960.tif 000035
【図３４】
2005528960.tif 000036
【図３５】
2005528960.tif 000037
【図３６】
2005528960.tif 000038
【図３７】
2005528960.tif 000039
【図３８】
2005528960.tif 000040
【図３９】
2005528960.tif 000041
【図４０】
2005528960.tif 000042
【図４１】
2005528960.tif 000043
【図４２】
2005528960.tif 000044
【図４３】
2005528960.tif 000045
【図４４】
2005528960.tif 000046
【図４５】
2005528960.tif 000047
【図４６】
2005528960.tif 000048
【図４７】
2005528960.tif 000049
【図４８】
2005528960.tif 000050
【図４９】
2005528960.tif 000051
【図５０】
2005528960.tif 000052
【図５１】
2005528960.tif 000053
【図５２】
2005528960.tif 000054
【図５３】
2005528960.tif 000055
【図５４】
2005528960.tif 000056
【図５５】
2005528960.tif 000057
【図５６】
2005528960.tif 000058
【図５７】
2005528960.tif 000059
2005528960.tif 000060
【手続補正書】
【提出日】平成17年6月10日(2005.6.10)
【手続補正１】
【補正対象書類名】特許請求の範囲
【補正対象項目名】全文
【補正方法】変更
【補正の内容】
【特許請求の範囲】
【請求項１】
（ａ）（ｉ）ハンドルと、
（ｉｉ）前記ハンドルに取り付けられ、前記ハンドルに対して実質的に固定されている内側支持部材と、
（ｉｉｉ）前記ハンドル上に回転可能に取り付けられている内側円盤と、
（ｉｖ）それぞれが少なくとも１つのフランジを含み、更に前記内側円盤と相互連結されている複数の噛み合いカラーと、
（ｖ）前記内側円盤を前記内側支持部材に連結するための回転防止装置と、
（ｖｉ）相互連結されている複数の前記カラーと前記内側円盤とに相互連結されているセレクター装置とを備えているダンベルと、
（ｂ）（ｉ）それぞれがタブを有している複数のウェートと、
（ｉｉ）前記ウェートを支持するための複数の位置決め壁と、
（ｉｉｉ）前記回転防止装置を解除するための作動器とを備えている支持基部と、を備えており、前記複数のウェートの所定の組み合わせは、前記少なくとも１つのカラーの少なくとも１つのフランジを前記ウェートのタブと係合させることによって選択されるように構成されている、調整可能なダンベル装置。
【請求項２】
前記回転防止装置は、ばね負荷ピンを備えている、請求項１に記載の調整可能なダンベル。
【請求項３】
前記セレクター装置は、外側セレクターノブを含んでいる、請求項１に記載の調整可能なダンベル。
【請求項４】
前記内側円盤の回転位置を示すための回転インジケーターを更に備えている、請求項１に記載の調整可能なダンベル。
【請求項５】
前記回転インジケーターは、選択された重量を示すために係合するばね負荷ボールと回り止め凹部を含んでいる、請求項４に記載の調整可能なダンベル。
【請求項６】
少なくとも１つのウェートプレートを有しており、所望の重量負荷を提供するために前記ダンベル上に前記少なくとも１つのウェートプレートを選択するための手段と、前記選択するための手段を作動不能にするための手段とを有している可変ウェートダンベルと、
前記ダンベルを受け入れるための基部と、を備えており、
前記選択するための手段は、前記ダンベルが前記基部内に配置されているときにだけ作動可能であり、前記作動不能にするための手段は、前記ダンベルを前記基部から取り外しているときにだけ作動するように構成されている、ダンベルと基部の装置。
【請求項７】
前記基部は、前記ダンベルが前記基部内に受け入れられているときに、前記作動不能にするための手段を作動停止させるために、前記作動不能にするための手段と係合するための手段を含んでいる、請求項６に記載のダンベル装置。
【請求項８】
前記選択するための手段が完全には係合されていないときに、前記ダンベルを前記基部内に選択的に固定するための手段を更に備えている、請求項６に記載のダンベル装置。
【請求項９】
前記選択されたウェートプレートを前記ダンベル上に固定するための手段を更に備えている、請求項６に記載のダンベル装置。
【請求項１０】
グリップと少なくとも１つの端部とを有しているハンドルと、
前記グリップに隣接して前記ハンドルに取り付けられている内側プレートと、
前記ハンドルに回転可能に取り付けられている支持プレートと、
前記ハンドルに回転可能に取り付けられ、前記支持プレートと連結されている少なくとも１つのカラーと、
前記ハンドルに回転可能に取り付けられ、前記カラーと連結されているセレクターノブと、
前記少なくとも１つのカラーに関して前記ハンドルに取り外し可能に取り付けられるウェートプレートと、
前記支持プレート、カラー及びセレクターノブが、前記内側プレートとハンドルに対して回転しないように、前記支持プレートを前記内側プレートに選択的に固定するための手段と、を備えているダンベル。
【請求項１１】
前記内側プレートは、実質的に回転方向に固定して前記ハンドルに取り付けられている、請求項１０に記載のダンベル。
【請求項１２】
前記選択的に固定するための手段は、
凹部を備えている前記内側プレートと、
前記凹部内に配置され、前記支持プレートを前記ハンドルに実質的に回転方向に固定するために前記支持プレートと係合可能なロック装置と、を備えている、請求項１０に記載のダンベル。
【請求項１３】
前記支持プレートは少なくとも１つの孔を画定しており、
前記内側プレート内の前記ロック装置は、前記支持プレートを前記ハンドルに回転方向に固定するために、前記孔に選択的に受け入れられる、請求項１２に記載のダンベル。
【請求項１４】
前記ロック装置は、前記凹部内に配置され、前記支持プレートから係合解除されている第１位置から、前記凹部から少なくとも部分的には伸張して、前記支持プレートと係合する第２位置まで動くポスト部材を備えている、請求項１３に記載のダンベル。
【請求項１５】
前記ロック装置を前記支持プレートから係合解除するための手段を更に備えている、請求項１３に記載のダンベル。
【請求項１６】
前記係合解除するための手段は、
前記ダンベルを受け入れるための基部と、
前記基部上の係合ショルダと、を含んでおり、
前記係合ショルダは、前記ダンベルが前記基部内に受け入れられると、前記ロック装置を前記支持プレートから引っ込ませる、請求項１５に記載のダンベル。
【請求項１７】
前記係合ショルダは、前記凹部内へ少なくとも部分的には挿入できるようになっており、
前記係合ショルダは、前記係合ショルダが前記凹部内に受け入れられると、前記ロック装置を前記支持プレートから引っ込ませる、請求項１６に記載のダンベル。
【請求項１８】
前記係合ショルダは前記ロック装置と直接係合する、請求項１６に記載のダンベル。
【請求項１９】
前記ロック装置は、付勢ピンと前記凹部内に配置されているスライダとを備えており、
前記係合ショルダは、前記スライダと係合して、前記スライダを前記付勢ピンと係合させ、且つ前記支持プレートから係合解除させ、
前記スライダは、前記付勢ピンと係合すると、前記付勢ピンを前記支持プレートから係合解除させ、且つ前記スライダは、前記付勢ピンから係合解除すると、前記付勢ピンを前記支持プレートと係合させる、請求項１６に記載のダンベル。
【請求項２０】
前記ロック装置は、カム表面を形成する下端部を有しており、
前記係合ショルダは、相補的カム表面を形成する上端部を有している、請求項１８に記載のダンベル。
【請求項２１】
前記係合ショルダの前記カム表面は、前記ロック装置の前記カム表面と作動的に係合して、前記ロック装置を、前記凹部内に横方向に動かして前記支持プレートから係合解除させる、請求項２０に記載のダンベル。
【請求項２２】
前記ロック装置を係合解除するための前記手段は、前記ダンベルを受け入れるための基部を備えており、
前記基部は、係合造形を含んでおり、
前記係合造形は、前記ダンベルが前記基部内に受け入れられると、前記ロック装置を、前記支持プレートから係合解除させ、
前記係合ショルダは、前記凹部内に受け入れられ、
更に、突起が前記支持プレート上の少なくとも１つのタブと係合するように整列すると、前記支持プレート上の少なくとも１つのタブと選択的に係合して、前記ダンベルを前記基部内に保持するための前記突起を含んでいる、請求項１５に記載のダンベル。
【請求項２３】
前記基部は、少なくとも部分的には前記内側プレート内に挿入するための係合造形を含んでおり、
前記係合造形は、前記ダンベルが前記基部内に受け入れられると、前記ロック装置を前記支持プレートから係合解除させ、
前記係合ショルダは、前記凹部内に受け入れられる、請求項２２に記載のダンベル。
【請求項２４】
ダンベルに使用するためのウェートプレートにおいて、
中央部分を貫通して形成された開口部を有している本体であって、ウェートプレートに所望の重量値を実現するため一体に接合されている複数のプレート部材を含んでいる本体を備えており、
前記本体は、少なくとも部分的にはプラスチック材料で被覆モールドされている、ウェートプレート。
【請求項２５】
前記プラスチック材料は、熱可塑性材料を含んでいる、請求項２４に記載のウェートプレート。
【請求項２６】
前記熱可塑性材料は、ナイロン、ガラス入りナイロン、ポリプロピレン及びクレイトンから成るグループから選択されている、請求項２５に記載のウェートプレート。
【請求項２７】
前記本体は、周辺寸法が前記本体より小さい少なくとも１つのプレートを更に含んでいる、請求項２４に記載のウェートプレート。
【請求項２８】
前記少なくとも１つのプレートは、周辺寸法が前記本体より小さく、前記本体の対称位置にある共通の側に接合されている複数のプレートを含んでいる、請求項２７に記載のウェートプレート。
【請求項２９】
前記少なくとも１つのプレートは、周辺寸法が前記本体より小さく、前記本体の反対の側に接合されている複数のプレートを含んでいる、請求項２７に記載のウェートプレート。
【請求項３０】
前記本体は、前記開口部の周辺から伸長するチャネルを含んでいる、請求項２４に記載のウェートプレート。
【請求項３１】
グリップ部分と、前記グリップ部分から伸張している少なくとも１つの端部とを有しているハンドルと、
前記ハンドルの前記端部に配置するために、中央部分を貫通して開口部が形成されている本体を有している少なくとも１つのウェートプレートであって、前記本体は、前記ウェートプレートに所望の重量値を実現するため一体に接合された複数のプレート部材を含んでいるウェートプレートと、を備えており、
前記本体は、少なくとも部分的にはプラスチック材料で被覆モールドされている、ダンベル。
【国際調査報告】
2005528960.tif 000061